(57)【特許請求の範囲】
【請求項１】
リンク確立方法であって、
第１のネットワークデバイスが、第１の端末の位置情報と第１の情報とを取得する段階であって、前記第１のネットワークデバイスは、前記第１の端末にサービスを提供する第１のアクセスネットワークデバイスであり、前記第１の端末は、第２の端末とのセッションを確立することを要求し、前記第１の情報は、前記第２の端末の位置情報および前記セッションの識別子情報のうち少なくとも１つである、段階と、
前記第１のネットワークデバイスが、前記第１の端末の前記位置情報と前記第１の情報とに従って、第１のルーティング情報を生成する段階であって、前記第１のルーティング情報は、前記第１の端末と前記第２の端末との間のダイレクトリンクのルーティング情報である、段階と、
前記第１のネットワークデバイスが、前記ダイレクトリンクを確立するように、前記第１のルーティング情報を、前記第２の端末にサービスを提供する第２のアクセスネットワークデバイスへ送信する段階と
を備える
方法。
【請求項２】
リンク確立方法であって、
第１のネットワークデバイスが、第１の端末の位置情報と第１の情報とを取得する段階であって、前記第１のネットワークデバイスは、前記第１の端末にサービスを提供する第１のアクセスネットワークデバイスであり、前記第１の端末は、第２の端末とのセッションを確立することを要求し、前記第１の情報は、前記第２の端末の位置情報および前記セッションの識別子情報のうち少なくとも１つである、段階と、
前記第１のネットワークデバイスが、前記第１の端末の前記位置情報と前記第１の情報とに従って、第１のルーティング情報を生成する段階であって、前記第１のルーティング情報は、前記第１の端末と前記第２の端末との間のダイレクトリンクのルーティング情報である、段階と、
前記第１のネットワークデバイスが、前記ダイレクトリンクを確立するように、前記第１のルーティング情報を、第１のコアネットワークデバイスと、前記第２の端末にサービスを提供する第２のアクセスネットワークデバイスとへ別々に送信する段階と
を備える
方法。
【請求項３】
前記ダイレクトリンクが確立された後に、前記第１のネットワークデバイスが、前記第１の端末が第３のアクセスネットワークデバイスへハンドオーバされる予定であると判定する段階と、
前記第１のネットワークデバイスが、ハンドオーバ要求を前記第３のアクセスネットワークデバイスへ送信する段階であって、前記ハンドオーバ要求は、前記第２の端末の前記位置情報および前記第１のルーティング情報のうち少なくとも１つを保持し、前記第２の端末の前記位置情報および前記第１のルーティング情報のうち前記少なくとも１つは、前記第１の端末と前記第２の端末との間の新たなダイレクトリンクの第２のルーティング情報を生成するために用いられる、段階と
をさらに備える請求項１又は２に記載の方法。
【請求項４】
前記第１のネットワークデバイスが、前記第１の端末の前記位置情報と前記第１の情報とに従って、前記ダイレクトリンクが前記第１の端末と前記第２の端末との間で確立され得るかを判定する段階
をさらに備え、
前記第１のネットワークデバイスが、前記第１の端末の前記位置情報と前記第１の情報とに従って、第１のルーティング情報を生成する段階は、前記第１のネットワークデバイスが、前記ダイレクトリンクが前記第１の端末と前記第２の端末との間で確立され得ると判定した場合、前記第１のネットワークデバイスが、前記第１の端末の前記位置情報と前記第１の情報とに従って、前記第１のルーティング情報を生成する段階を含む、請求項１から３のいずれか一項に記載の方法。
【請求項５】
前記第１のネットワークデバイスが前記第１のルーティング情報を送信する前記段階の後に、前記方法はさらに、前記第１のネットワークデバイスが、第１の通知メッセージを第２のコアネットワークデバイスへ送信する段階であって、前記第１の通知メッセージは、前記第１の端末と前記第２の端末との間で確立された前記ダイレクトリンクを示すために用いられる、段階を備える、請求項１から４のいずれか一項に記載の方法。
【請求項６】
前記ダイレクトリンクが確立された後に、前記方法はさらに、
前記第１のネットワークデバイスが、第１の接続解除メッセージを前記第２のアクセスネットワークデバイスへ直接送信する段階を備え、
前記第１の接続解除メッセージは、前記セッションのリソースおよび前記ダイレクトリンクのリソースを解除するように命令するために用いられる、請求項１に記載の方法。
【請求項７】
前記ダイレクトリンクが確立された後に、前記方法はさらに、
前記第１のネットワークデバイスが、第１の接続解除メッセージを、前記第２のアクセスネットワークデバイスと、前記第１のコアネットワークデバイスとへ別々に送信する段階を備え、
前記第１の接続解除メッセージは、前記セッションのリソースおよび前記ダイレクトリンクのリソースを解除するように命令するために用いられる、請求項２に記載の方法。
【請求項８】
リンク確立方法であって、
第１のネットワークデバイスが、第１の端末の位置情報と第１の情報とを取得する段階であって、前記第１のネットワークデバイスは、第２のコアネットワークデバイスであり、前記第１の端末は、第２の端末とのセッションを確立することを要求し、前記第１の情報は、前記第２の端末の位置情報および前記セッションの識別子情報のうち少なくとも１つである、段階と、
前記第１のネットワークデバイスが、前記第１の端末の前記位置情報と前記第１の情報とに従って、第１のルーティング情報を取得する段階であって、前記第１のルーティング情報は、前記第１の端末と前記第２の端末との間のダイレクトリンクのルーティング情報であり、前記第２の端末は第２のアクセスネットワークデバイスによりサービスが提供される、段階と、
前記ダイレクトリンクが確立された後に、前記第１のネットワークデバイスが、第２の通知メッセージを受信する段階であって、前記第２の通知メッセージは、前記第１の端末が第３のアクセスネットワークデバイスへハンドオーバされる予定であることを示すために用いられ、前記第２の通知メッセージは、前記第２の端末の前記位置情報および前記第１のルーティング情報のうち少なくとも１つを保持する、段階と、
前記第１のネットワークデバイスが、前記第２の端末の前記位置情報および前記第１のルーティング情報のうち前記少なくとも１つに従って、第２のルーティング情報を取得する段階であって、前記第２のルーティング情報は、前記第２の端末と前記第３のアクセスネットワークデバイスへハンドオーバされる前記第１の端末との間のダイレクトリンクのルーティング情報である、段階と、
前記第１のネットワークデバイスが、前記第２のルーティング情報を、前記第２のアクセスネットワークデバイスと前記第３のアクセスネットワークデバイスとへ別々に送信する段階と
を備える
方法。
【請求項９】
前記第１のネットワークデバイスが、前記第１の端末の前記位置情報と前記第１の情報を取得する前記段階は、
前記第１のネットワークデバイスが、前記第１の端末にサービスを提供する第１のアクセスネットワークデバイスによって送信された前記第１の端末の前記位置情報および前記第１の情報を受信する段階を含み、
前記第１のネットワークデバイスが、前記第１の端末の前記位置情報と前記第１の情報とに従って、前記第１のルーティング情報を取得する前記段階は、
前記第１のネットワークデバイスが、前記第１の端末の前記位置情報と前記第１の情報とに従って、前記ダイレクトリンクが前記第１の端末と前記第２の端末との間で確立され得るかを判定する段階と、
前記第１のネットワークデバイスが、前記ダイレクトリンクが前記第１の端末と前記第２の端末との間で確立され得ると判定した場合、前記第１のネットワークデバイスが、前記第１の端末の前記位置情報と前記第１の情報とに従って、前記第１のルーティング情報を生成する段階とを含む、請求項８に記載の方法。
【請求項１０】
前記第１のネットワークデバイスが、前記第１のルーティング情報を生成する前記段階の後に、前記方法はさらに、
前記第１のネットワークデバイスが、前記ダイレクトリンクを確立するように、前記第１のルーティング情報を、前記第１のアクセスネットワークデバイスと、前記第２のアクセスネットワークデバイスとへ別々に送信する段階を備える、請求項９に記載の方法。
【請求項１１】
前記第１のネットワークデバイスが、前記第１のルーティング情報を生成する前記段階の後に、前記方法はさらに、
前記第１のネットワークデバイスが、前記ダイレクトリンクを確立するように、前記第１のルーティング情報を、前記第１のアクセスネットワークデバイスと、前記第２のアクセスネットワークデバイスと、第１のコアネットワークデバイスとへ別々に送信する段階を備える、請求項９に記載の方法。
【請求項１２】
前記ダイレクトリンクが確立された後に、前記方法はさらに、
前記第１のネットワークデバイスが、第１の接続解除メッセージを、前記第１のアクセスネットワークデバイスと、前記第２のアクセスネットワークデバイスとへ別々に送信する段階を備え、前記第１の接続解除メッセージは、前記セッションのリソースおよび前記ダイレクトリンクのリソースを解除するように命令するために用いられる、請求項１０に記載の方法。
【請求項１３】
前記ダイレクトリンクが確立された後に、前記方法はさらに、
前記第１のネットワークデバイスが、第１の接続解除メッセージを、前記第１のアクセスネットワークデバイスと、前記第２のアクセスネットワークデバイスと、前記第１のコアネットワークデバイスとへ別々に送信する段階を備え、前記第１の接続解除メッセージは、前記セッションのリソースおよび前記ダイレクトリンクのリソースを解除するように命令するために用いられる、請求項１１に記載の方法。
【請求項１４】
リンク確立方法であって、
第２のコアネットワークデバイスが、第１のダイレクトルーティング要求メッセージを受信する段階と、
前記第２のコアネットワークデバイスが、前記第１のダイレクトルーティング要求メッセージに従って、第１のルーティング情報を生成する段階であって、前記第１のルーティング情報は、第１の端末と第２の端末との間のダイレクトリンクのルーティング情報であり、前記第１の端末は、前記第２の端末とのセッションを確立することを要求し、前記第２の端末は第２のアクセスネットワークデバイスによりサービスが提供される、段階と、
前記ダイレクトリンクが確立された後に、前記第２のコアネットワークデバイスが、第２のダイレクトルーティング要求メッセージを受信する段階であって、前記第２のダイレクトルーティング要求メッセージは、第２のルーティング情報を割り当てるように前記第２のコアネットワークデバイスに命令するために用いられ、前記第２のルーティング情報は、前記第２の端末と、第３のアクセスネットワークデバイスへハンドオーバされる前記第１の端末との間のダイレクトリンクのルーティング情報である、段階と、
前記第２のコアネットワークデバイスが、前記第２のルーティング情報を生成する段階と、
前記第２のコアネットワークデバイスが、前記第２のルーティング情報を、前記第２のアクセスネットワークデバイスと前記第３のアクセスネットワークデバイスとへ別々に送信する段階と
を備える
方法。
【請求項１５】
前記第２のコアネットワークデバイスが前記第１のルーティング情報を生成する前記段階の後に、前記方法はさらに、
前記第２のコアネットワークデバイスが、前記ダイレクトリンクを確立するように、前記第１のルーティング情報を、前記第１の端末にサービスを提供する第１のアクセスネットワークデバイスと、前記第２のアクセスネットワークデバイスとへ別々に送信する段階を備える、請求項１４に記載の方法。
【請求項１６】
前記第２のコアネットワークデバイスが前記第１のルーティング情報を生成する前記段階の後に、前記方法はさらに、
前記第２のコアネットワークデバイスが、前記ダイレクトリンクを確立するように、前記第１のルーティング情報を、前記第１の端末にサービスを提供する第１のアクセスネットワークデバイスと、前記第２のアクセスネットワークデバイスと、第１のコアネットワークデバイスとへ別々に送信する段階を備える、請求項１４に記載の方法。
【請求項１７】
前記ダイレクトリンクが確立された後に、前記方法はさらに、
前記第２のコアネットワークデバイスが、第１の接続解除メッセージを、前記第１のアクセスネットワークデバイスと前記第２のアクセスネットワークデバイスとへ別々に送信する段階を備え、
前記第１の接続解除メッセージは、前記セッションのリソースおよび前記ダイレクトリンクのリソースを解除するように命令するために用いられる、請求項１５に記載の方法。
【請求項１８】
前記ダイレクトリンクが確立された後に、前記方法はさらに、
前記第２のコアネットワークデバイスが、第１の接続解除メッセージを、前記第１のアクセスネットワークデバイスと、前記第２のアクセスネットワークデバイスと、前記第１のコアネットワークデバイスとへ別々に送信する段階を備え、
前記第１の接続解除メッセージは、前記セッションのリソースおよび前記ダイレクトリンクのリソースを解除するように命令するために用いられる、請求項１６に記載の方法。
【請求項１９】
リンク確立方法であって、
第３のアクセスネットワークデバイスが、第１のアクセスネットワークデバイスからのハンドオーバ要求を受信する段階であって、前記ハンドオーバ要求は、第１の端末が前記第１のアクセスネットワークデバイスから前記第３のアクセスネットワークデバイスへハンドオーバされる予定であることを示すために用いられ、前記ハンドオーバ要求は、第２の端末の位置情報および第１のルーティング情報のうち少なくとも１つを保持し、前記第１のルーティング情報は、前記第２の端末と、前記第１のアクセスネットワークデバイスにアクセスする前記第１の端末との間の古いダイレクトリンクのルーティング情報であり、前記第１の端末および前記第２の端末は、前記古いダイレクトリンクを用いることによってセッションを有している、段階と、
前記第３のアクセスネットワークデバイスが、前記第２の端末の前記位置情報および前記第１のルーティング情報のうち少なくとも１つに従って、前記第１の端末と前記第２の端末との間の新たなダイレクトリンクの第２のルーティング情報を生成する段階と、
前記第３のアクセスネットワークデバイスが、前記新たなダイレクトリンクを確立するように、前記第２のルーティング情報を、前記第２の端末にサービスを提供する第２のアクセスネットワークデバイスへ直接送信する段階と
を備える
方法。
【請求項２０】
リンク確立方法であって、
第３のアクセスネットワークデバイスが、第１のアクセスネットワークデバイスからのハンドオーバ要求を受信する段階であって、前記ハンドオーバ要求は、第１の端末が前記第１のアクセスネットワークデバイスから前記第３のアクセスネットワークデバイスへハンドオーバされる予定であることを示すために用いられ、前記ハンドオーバ要求は、第２の端末の位置情報および第１のルーティング情報のうち少なくとも１つを保持し、前記第１のルーティング情報は、前記第２の端末と、前記第１のアクセスネットワークデバイスにアクセスする前記第１の端末との間の古いダイレクトリンクのルーティング情報であり、前記第１の端末および前記第２の端末は、前記古いダイレクトリンクを用いることによってセッションを有している、段階と、
前記第３のアクセスネットワークデバイスが、前記第２の端末の前記位置情報および前記第１のルーティング情報のうち少なくとも１つに従って、前記第１の端末と前記第２の端末との間の新たなダイレクトリンクの第２のルーティング情報を生成する段階と、
前記第３のアクセスネットワークデバイスが、前記新たなダイレクトリンクを確立するように、前記第２のルーティング情報を、第１のコアネットワークデバイスと、前記第２の端末にサービスを提供する第２のアクセスネットワークデバイスとへ送信する段階と
を備える
方法。
【請求項２１】
前記第３のアクセスネットワークデバイスが、前記第２の端末の前記位置情報および前記第１のルーティング情報のうち前記少なくとも１つに従って、前記新たなダイレクトリンクが前記第１の端末と前記第２の端末との間で確立され得るかを判定する段階
をさらに備え、
前記第３のアクセスネットワークデバイスが、前記第２の端末の前記位置情報および前記第１のルーティング情報のうち少なくとも１つに従って、前記第１の端末と前記第２の端末との間の新たなダイレクトリンクの第２のルーティング情報を生成する段階は、前記第３のアクセスネットワークデバイスが、前記新たなダイレクトリンクが前記第１の端末と前記第２の端末との間で確立され得ると判定した場合、前記第３のアクセスネットワークデバイスが、前記第２の端末の前記位置情報および前記第１のルーティング情報のうち前記少なくとも１つに従って、前記第２のルーティング情報を生成する段階を含む
請求項１９又は２０に記載の方法。
【請求項２２】
第１の端末にサービスを提供する第１のアクセスネットワークデバイスであるネットワークデバイスであって、
第２の端末とのセッションを確立することを要求する前記第１の端末の位置情報と、前記第２の端末の位置情報および前記セッションの識別子情報のうち少なくとも１つである第１の情報とを取得し、
前記第１の端末の前記位置情報と前記第１の情報とに従って、前記第１の端末と前記第２の端末との間のダイレクトリンクのルーティング情報である第１のルーティング情報を生成する処理モジュールと、
前記処理モジュールが前記第１の端末の前記位置情報と前記第１の情報とに従って、前記第１のルーティング情報を生成した後に、前記ダイレクトリンクを確立するように、前記第１のルーティング情報を、前記第２の端末にサービスを提供する第２のアクセスネットワークデバイスへ送信する送信モジュールと
を備える  ネットワークデバイス。
【請求項２３】
第１の端末にサービスを提供する第１のアクセスネットワークデバイスであるネットワークデバイスであって、
第２の端末とのセッションを確立することを要求する前記第１の端末の位置情報と、前記第２の端末の位置情報および前記セッションの識別子情報のうち少なくとも１つである第１の情報とを取得し、
前記第１の端末の前記位置情報と前記第１の情報とに従って、前記第１の端末と前記第２の端末との間のダイレクトリンクのルーティング情報である第１のルーティング情報を生成する処理モジュールと、
前記処理モジュールが前記第１の端末の前記位置情報と前記第１の情報とに従って、前記第１のルーティング情報を生成した後に、前記ダイレクトリンクを確立するように、前記第１のルーティング情報を、第１のコアネットワークデバイスと、前記第２の端末にサービスを提供する第２のアクセスネットワークデバイスとへ別々に送信する送信モジュールと
を備える
ネットワークデバイス。
【請求項２４】
前記処理モジュールはさらに、前記ダイレクトリンクが確立された後に、前記第１の端末が第３のアクセスネットワークデバイスへハンドオーバされる予定であると判定し、
前記送信モジュールは、ハンドオーバ要求を前記第３のアクセスネットワークデバイスへ送信し、前記ハンドオーバ要求は、前記第２の端末の前記位置情報および前記第１のルーティング情報のうち少なくとも１つを保持し、前記第２の端末の前記位置情報および前記第１のルーティング情報のうち前記少なくとも１つは、前記第１の端末と前記第２の端末との間の新たなダイレクトリンクの第２のルーティング情報を生成するために用いられる
請求項２２又は２３に記載のネットワークデバイス。
【請求項２５】
前記処理モジュールは、
前記第１の端末の前記位置情報と前記第１の情報とに従って、前記ダイレクトリンクが前記第１の端末と前記第２の端末との間で確立され得るかを判定し、
前記ダイレクトリンクが前記第１の端末と前記第２の端末との間で確立され得ると判定した場合、前記第１の端末の前記位置情報と前記第１の情報とに従って、前記第１のルーティング情報を生成する、請求項２２から２４のいずれか一項に記載のネットワークデバイス。
【請求項２６】
前記送信モジュールはさらに、前記第１のルーティング情報を送信した後に、第１の通知メッセージを第２のコアネットワークデバイスへ送信し、
前記第１の通知メッセージは、前記第１の端末と前記第２の端末との間で確立された前記ダイレクトリンクを示すために用いられる、請求項２２から２５のいずれか一項に記載のネットワークデバイス。
【請求項２７】
前記送信モジュールはさらに、前記ダイレクトリンクが確立された後に、第１の接続解除メッセージを前記第２のアクセスネットワークデバイスへ直接送信し、前記第１の接続解除メッセージは、前記セッションのリソースおよび前記ダイレクトリンクのリソースを解除するように命令するために用いられる、請求項２２に記載のネットワークデバイス。
【請求項２８】
前記送信モジュールはさらに、前記ダイレクトリンクが確立された後に、第１の接続解除メッセージを、前記第２のアクセスネットワークデバイスと、前記第１のコアネットワークデバイスとへ別々に送信し、前記第１の接続解除メッセージは、前記セッションのリソースおよび前記ダイレクトリンクのリソースを解除するように命令するために用いられる、請求項２３に記載のネットワークデバイス。
【請求項２９】
第２のコアネットワークデバイスであるネットワークデバイスであって、
第２の端末とのセッションを確立することを要求する第１の端末の位置情報と、前記第２の端末の位置情報および前記セッションの識別子情報のうち少なくとも１つである第１の情報とを取得し、
前記第１の端末の前記位置情報と前記第１の情報とに従って、前記第１の端末と前記第２の端末との間のダイレクトリンクのルーティング情報である第１のルーティング情報を取得する処理モジュールと、
受信モジュールと、
送信モジュールと
を備え、
前記第２の端末は、第２のアクセスネットワークデバイスによりサービスが提供され、
前記受信モジュールは、前記ダイレクトリンクが確立した後に、前記第１の端末が第３のアクセスネットワークデバイスへハンドオーバされる予定であることを示すために用いられ、かつ、前記第２の端末の前記位置情報および前記第１のルーティング情報のうち少なくとも１つを保持する第２の通知メッセージを受信し、
前記処理モジュールはさらに、前記第２の端末の前記位置情報および前記第１のルーティング情報のうち前記少なくとも１つに従って、前記第２の端末と、前記第３のアクセスネットワークデバイスへハンドオーバされる前記第１の端末との間のダイレクトリンクのルーティング情報である第２のルーティング情報を取得し、
前記送信モジュールは、前記第２のルーティング情報を、前記第２のアクセスネットワークデバイスと前記第３のアクセスネットワークデバイスとへ別々に送信する、ネットワークデバイス。
【請求項３０】
前記受信モジュールは、前記第１の端末にサービスを提供する第１のアクセスネットワークデバイスによって送信された前記第１の端末の前記位置情報および第１の情報を受信し、
前記処理モジュールは、
前記受信モジュールを用いることによって受信された前記第１の端末の前記位置情報および前記第１の情報に従って、前記ダイレクトリンクが前記第１の端末と前記第２の端末との間で確立され得るかを判定し、
前記ダイレクトリンクが前記第１の端末と前記第２の端末との間で確立され得ると判定した場合、前記第１の端末の前記位置情報と前記第１の情報とに従って、前記第１のルーティング情報を生成する、請求項２９に記載のネットワークデバイス。
【請求項３１】
前記送信モジュールはさらに、前記処理モジュールが前記第１のルーティング情報を生成した後に、前記ダイレクトリンクを確立するように、前記第１のルーティング情報を、前記第１のアクセスネットワークデバイスと、前記第２のアクセスネットワークデバイスとへ別々に送信する、請求項３０に記載のネットワークデバイス。
【請求項３２】
前記送信モジュールはさらに、前記処理モジュールが前記第１のルーティング情報を生成した後に、前記ダイレクトリンクを確立するように、前記第１のルーティング情報を、前記第１のアクセスネットワークデバイスと、前記第２のアクセスネットワークデバイスと、第１のコアネットワークデバイスとへ別々に送信する、請求項３０に記載のネットワークデバイス。
【請求項３３】
前記送信モジュールはさらに、前記ダイレクトリンクが確立された後に、第１の接続解除メッセージを、前記第１のアクセスネットワークデバイスと、前記第２のアクセスネットワークデバイスとへ別々に送信し、前記第１の接続解除メッセージは、前記セッションのリソースおよび前記ダイレクトリンクのリソースを解除するように命令するために用いられる、請求項３１に記載のネットワークデバイス。
【請求項３４】
前記送信モジュールはさらに、前記ダイレクトリンクが確立された後に、第１の接続解除メッセージを、前記第１のアクセスネットワークデバイスと、前記第２のアクセスネットワークデバイスと、前記第１のコアネットワークデバイスとへ別々に送信し、前記第１の接続解除メッセージは、前記セッションのリソースおよび前記ダイレクトリンクのリソースを解除するように命令するために用いられる、請求項３２に記載のネットワークデバイス。
【請求項３５】
コアネットワークデバイスであって、
第１のダイレクトルーティング要求メッセージを受信する受信モジュールと、
前記第１のダイレクトルーティング要求メッセージに従って、第１のルーティング情報を生成する処理モジュールであって、前記第１のルーティング情報は、第１の端末と第２の端末との間のダイレクトリンクのルーティング情報であり、前記第１の端末は、前記第２の端末とのセッションを確立することを要求し、前記第２の端末は第２のアクセスネットワークデバイスによりサービスが提供される、処理モジュールと、
送信モジュールと
を備え、
前記受信モジュールはさらに、前記ダイレクトリンクが確立された後に、前記第２の端末と第３のアクセスネットワークデバイスへハンドオーバされる前記第１の端末との間のダイレクトリンクのルーティング情報である第２のルーティング情報を割り当てるように前記コアネットワークデバイスに命令するために用いられる第２のダイレクトルーティング要求メッセージを受信し、
前記処理モジュールはさらに、前記第２のルーティング情報を生成し、
前記送信モジュールはさらに、前記第２のルーティング情報を、前記第２のアクセスネットワークデバイスと前記第３のアクセスネットワークデバイスとへ別々に送信する
コアネットワークデバイス。
【請求項３６】
前記送信モジュールはさらに、前記処理モジュールが前記第１のルーティング情報を生成した後に、前記ダイレクトリンクを確立するように、前記第１のルーティング情報を、前記第１の端末にサービスを提供する第１のアクセスネットワークデバイスと、前記第２のアクセスネットワークデバイスとへ別々に送信する、請求項３５に記載のコアネットワークデバイス。
【請求項３７】
前記送信モジュールはさらに、前記処理モジュールが前記第１のルーティング情報を生成した後に、前記ダイレクトリンクを確立するように、前記第１のルーティング情報を、前記第１の端末にサービスを提供する第１のアクセスネットワークデバイスと、前記第２の端末にサービスを提供する第２のアクセスネットワークデバイスと、第１のコアネットワークデバイスとへ別々に送信する、請求項３５に記載のコアネットワークデバイス。
【請求項３８】
前記送信モジュールはさらに、前記ダイレクトリンクが確立された後に、第１の接続解除メッセージを、前記第１のアクセスネットワークデバイスと前記第２のアクセスネットワークデバイスとへ別々に送信し、前記第１の接続解除メッセージは、前記セッションのリソースおよび前記ダイレクトリンクのリソースを解除するように命令するために用いられる、請求項３６に記載のコアネットワークデバイス。
【請求項３９】
前記送信モジュールはさらに、前記ダイレクトリンクが確立された後に、第１の接続解除メッセージを、前記第１のアクセスネットワークデバイスと、前記第２のアクセスネットワークデバイスと、前記第１のコアネットワークデバイスとへ別々に送信し、前記第１の接続解除メッセージは、前記セッションのリソースおよび前記ダイレクトリンクのリソースを解除するように命令するために用いられる、請求項３７に記載のコアネットワークデバイス。
【請求項４０】
アクセスネットワークデバイスであって、
第１のアクセスネットワークデバイスからのハンドオーバ要求を受信する受信モジュールであって、前記ハンドオーバ要求は、第１の端末が前記第１のアクセスネットワークデバイスから前記アクセスネットワークデバイスへハンドオーバされる予定であることを示すために用いられ、前記ハンドオーバ要求は、第２の端末の位置情報および第１のルーティング情報のうち少なくとも１つを保持し、前記第１のルーティング情報は、前記第２の端末と前記第１のアクセスネットワークデバイスにアクセスする第１の端末との間の古いダイレクトリンクのルーティング情報であり、前記第１の端末および前記第２の端末は、前記古いダイレクトリンクを用いることによってセッションを有している、受信モジュールと、
前記第２の端末の前記位置情報および前記第１のルーティング情報のうち少なくとも１つに従って、前記第１の端末と前記第２の端末との間の新たなダイレクトリンクの第２のルーティング情報を生成する処理モジュールと、
前記新たなダイレクトリンクを確立するように、前記第２のルーティング情報を、前記第２の端末にサービスを提供する第２のアクセスネットワークデバイスへ直接送信する送信モジュールと
を備える
アクセスネットワークデバイス。
【請求項４１】
アクセスネットワークデバイスであって、
第１のアクセスネットワークデバイスからのハンドオーバ要求を受信する受信モジュールであって、前記ハンドオーバ要求は、第１の端末が前記第１のアクセスネットワークデバイスから前記アクセスネットワークデバイスへハンドオーバされる予定であることを示すために用いられ、前記ハンドオーバ要求は、第２の端末の位置情報および第１のルーティング情報のうち少なくとも１つを保持し、前記第１のルーティング情報は、前記第２の端末と前記第１のアクセスネットワークデバイスにアクセスする第１の端末との間の古いダイレクトリンクのルーティング情報であり、前記第１の端末および前記第２の端末は、前記古いダイレクトリンクを用いることによってセッションを有している、受信モジュールと、
前記第２の端末の前記位置情報および前記第１のルーティング情報のうち少なくとも１つに従って、前記第１の端末と前記第２の端末との間の新たなダイレクトリンクの第２のルーティング情報を生成する処理モジュールと、
前記新たなダイレクトリンクを確立するように、前記第２のルーティング情報を、第１のコアネットワークデバイスと、前記第２の端末にサービスを提供する第２のアクセスネットワークデバイスとへ送信する送信モジュールと
を備える
アクセスネットワークデバイス。
【請求項４２】
前記処理モジュールは、前記第２の端末の前記位置情報および前記第１のルーティング情報のうち前記少なくとも１つに従って、前記新たなダイレクトリンクが前記第１の端末と前記第２の端末との間で確立され得るかを判定し、前記新たなダイレクトリンクが前記第１の端末と前記第２の端末との間で確立され得ると判定した場合、前記第２の端末の前記位置情報および前記第１のルーティング情報のうち前記少なくとも１つに従って、前記第２のルーティング情報を生成する、請求項４０又は４１に記載のアクセスネットワークデバイス。
【発明の詳細な説明】
【技術分野】
【０００１】
本開示は、通信技術の分野に関し、特にリンク確立方法およびデバイスに関する。
【背景技術】
【０００２】
現在、音声サービスまたは動画サービスなどのピアツーピア（Ｐ２Ｐ）ネットワークサービスの通信方式について、図１を参照されたい。例えば、端末１が端末２とＰ２Ｐ通信を実行する必要があるとき、サービスデータが移動する経路が、端末１→端末１にサービスを提供するアクセスネットワークデバイス１→コアネットワークデバイス→ゲートウェイ→サーバ→ゲートウェイ→コアネットワークデバイス→端末２にサービスを提供するアクセスネットワークデバイス２→端末２である。伝送経路は、図１の矢印によって示されている。例えば、ゲートウェイは、Ｐ−ＧＷおよびＳ−ＧＷを含んでよい。すなわち、より具体的な伝送経路は、端末１→端末１にサービスを提供するアクセスネットワークデバイス１→コアネットワークデバイス→Ｐ−ＧＷ→Ｓ−ＧＷ→サーバ→Ｓ−ＧＷ→Ｐ−ＧＷ→コアネットワークデバイス→端末２にサービスを提供するアクセスネットワークデバイス２→端末２であってよい。このより具体的な伝送経路は、図１においては示されていない。
【０００３】
現在のサービスデータ伝送経路は比較的長く、比較的大きい数量のデバイスを通過する必要があるということが分かる。このことは明らかに、伝送遅延を増加させ、比較的大量の伝送リソースを無駄にする。
【発明の概要】
【０００４】
本出願は、リンク確立方法およびデバイスを提供し、これにより、比較的長いサービスデータ伝送経路によって引き起こされる比較的長い伝送遅延といった技術的問題を解決する。
【０００５】
第１の態様によれば、第１のリンク確立方法が提供され、方法は、第１のネットワークデバイスが、第１の端末の位置情報と第１の情報とを取得する段階であって、第１の端末は、第２の端末とのセッションを確立することを要求し、第１の情報は、第２の端末の位置情報およびセッションの識別子情報のうち少なくとも１つである、段階と、第１のネットワークデバイスが、第１の端末の位置情報と第１の情報とに従って、第１のルーティング情報を取得する段階であって、第１のルーティング情報は、第１の端末と第２の端末との間のダイレクトリンクのルーティング情報である、段階とを備える。
【０００６】
本出願において、第１のネットワークデバイスは、通信の両端におけるそれらの端末の位置情報を取得してよく、または、それらの端末のうちの１つの位置情報と、セッションの識別子情報とを取得してよい。第１のネットワークデバイスは、取得された情報に従って、２つの端末の間で確立されたダイレクトリンクのルーティング情報（すなわち、第１のルーティング情報）を取得し得る。このように、２つの端末が互いに通信するとき、サービスデータ伝送経路は、第１の端末→第１のアクセスネットワークデバイス→第２のアクセスネットワークデバイス→第２の端末であってよく、または、第１の端末→第１のアクセスネットワークデバイス→第１のコアネットワークデバイス→第２のアクセスネットワークデバイス→第２の端末であってよい。経路のどちらかが従来技術の伝送経路より短い。従って、伝送遅延が短縮され、伝送効率が向上し、伝送リソースが節約される。
【０００７】
第１の態様に関連して、第１の態様の第１の可能な実装方式において、第１のネットワークデバイスが第１の端末にサービスを提供する第１のアクセスネットワークデバイスである場合、第１のネットワークデバイスによって、第１の端末の位置情報と第１の情報とに従って、第１のルーティング情報を取得する段階は、第１のネットワークデバイスが、第１の端末の位置情報と第１の情報とに従って、ダイレクトリンクが第１の端末と第２の端末との間で確立され得るかを判定する段階と、第１のネットワークデバイスが、ダイレクトリンクが第１の端末と第２の端末との間で確立され得ると判定した場合、第１のネットワークデバイスが、第１の端末の位置情報と第１の情報とに従って、第１のルーティング情報を生成する段階とを含むか、または、第１のネットワークデバイスが、第１の端末の位置情報と第１の情報とに従って、ダイレクトリンクが第１の端末と第２の端末との間で確立され得るかを判定する段階と、第１のネットワークデバイスが、ダイレクトリンクが第１の端末と第２の端末との間で確立され得ると判定した場合、第１のネットワークデバイスが、第１のダイレクトルーティング要求メッセージを第２のコアネットワークデバイスへ送信する段階であって、第１のダイレクトルーティング要求メッセージは、第１のルーティング情報を割り当てるように第２のコアネットワークデバイスに命令するために用いられる、段階と、第１のネットワークデバイスが、第２のコアネットワークデバイスからの第１のルーティング情報を受信する段階とを含む。
【０００８】
第１のアクセスネットワークデバイスが、ダイレクトリンクが第１の端末と第２の端末との間で確立され得ると判定した後に、第１のアクセスネットワークデバイスは、第１のルーティング情報を直接生成してよい。第１のルーティング情報は、別のデバイスを用いることなく、比較的直接な処理において生成される。あるいは、第１のアクセスネットワークデバイスが、ダイレクトリンクが第１の端末と第２の端末との間で確立され得ると判定した後に、第１のアクセスネットワークデバイスは、第１のルーティング情報を生成するように第２のコアネットワークデバイスに命令してよい。第１のルーティング情報がコアネットワークデバイスによって生成されるので、第１のアクセスネットワークデバイス上の負荷が軽減され、第１のアクセスネットワークデバイスのために設定される必要がある機能がより少なくなり得る。加えて、第１のルーティング情報が第２のコアネットワークデバイスによって生成されるので、第２のコアネットワークデバイスはもちろん、第１のアクセスネットワークデバイスによってダイレクトリンクを通知されることなく、第１の端末と第２の端末との間で確立されたダイレクトリンクを知っている。従って、伝送された情報の量が低減される。
【０００９】
第１の態様の第１の可能な実装方式に関連して、第１の態様の第２の可能な実装方式において、第１のネットワークデバイスが、第１の端末の位置情報と第１の情報とに従って、第１のルーティング情報を生成する段階の後に、方法はさらに、第１のネットワークデバイスが、ダイレクトリンクを確立するように、第１のルーティング情報を、第２の端末にサービスを提供する第２のアクセスネットワークデバイスへ送信する段階、または、第１のネットワークデバイスが、ダイレクトリンクを確立するように、第１のルーティング情報を、第２の端末にサービスを提供する第２のアクセスネットワークデバイスへ送信する段階を備える。
【００１０】
第１のルーティング情報を生成した後に、第１のアクセスネットワークデバイスは、第１のルーティング情報を、第１の端末と第２の端末との間のダイレクトリンクに関するデバイスへ送信する必要がある。このように、第１のルーティング情報を受信した後に、対応するデバイスは、第１のルーティング情報に係る自己設定を実行してよく、このことは、ダイレクトリンクの確立に相当する。第１のルーティング情報が送信されたデバイスは、システムもしくはプロトコルにより特定されてよく、または第１のアクセスネットワークデバイスによって自己判定されてよい。
【００１１】
第１の態様の第２の可能な実装方式に関連して、第１の態様の第３の可能な実装方式において、第１のネットワークデバイスが、第１のルーティング情報を、第２の端末にサービスを提供する第２のアクセスネットワークデバイスへ送信する段階は、第１のネットワークデバイスが、第１のルーティング情報を第２のアクセスネットワークデバイスへ直接送信する段階、または、第１のネットワークデバイスが、第１のルーティング情報を、第２のコアネットワークデバイスを用いることによって第２のアクセスネットワークデバイスへ送信する段階を含む。
【００１２】
第１のアクセスネットワークデバイスおよび第２のアクセスネットワークデバイスは、互いに直接通信してよく、または、転送のために第２のコアネットワークデバイスを用いることによって互いに通信してよい。このことは比較的フレキシブルである。
【００１３】
第１の態様の第２の可能な実装方式または第３の可能な実装方式に関連して、第１の態様の第４の可能な実装方式において、第１のネットワークデバイスが、第１のルーティング情報を、第２の端末にサービスを提供する第２のアクセスネットワークデバイスへ送信する段階の後に、または、第１のネットワークデバイスが、第１のルーティング情報を、第１のコアネットワークデバイスと、第２の端末にサービスを提供する第２のアクセスネットワークデバイスとへ別々に送信する段階の後に、方法はさらに、第１のネットワークデバイスが、第１の通知メッセージを第２のコアネットワークデバイスへ送信する段階であって、第１の通知メッセージは、第１の端末と第２の端末との間で確立されたダイレクトリンクを示すために用いられる、段階を備える。
【００１４】
第１のルーティング情報が第１のアクセスネットワークデバイスによって生成された場合、第１のアクセスネットワークデバイスはさらに、ダイレクトリンクが第１の端末と第２の端末との間で確立されたことを第２のコアネットワークデバイスに通知してよい。このことは、後続の可能なダイレクトリンク削除またはハンドオーバを容易にし、第２のコアネットワークデバイスがダイレクトリンクの管理へ参加することをさらに容易にする。
【００１５】
第１の態様の第２の可能な実装方式、第３の可能な実装方式、または第４の可能な実装方式に関連して、第１の態様の第５の可能な実装方式において、ダイレクトリンクが確立された後に、方法はさらに、第１のネットワークデバイスが、第１の接続解除メッセージを第２のアクセスネットワークデバイスへ直接送信する段階、または、第１のネットワークデバイスが、第２のコアネットワークデバイスを用いることによって、第１の接続解除メッセージを第２のアクセスネットワークデバイスおよび第１のコアネットワークデバイスのうち少なくとも１つへ送信する段階を備え、ここで、第１の接続解除メッセージは、セッションのリソースおよびダイレクトリンクのリソースを解除するように命令するために用いられる。
【００１６】
ダイレクトリンクが確立された後に、ダイレクトリンクを削除する必要があり得る。この場合、第１のアクセスネットワークデバイスは、第１の接続解除メッセージをダイレクトリンクに関するデバイス（すなわち、第１のルーティング情報を受信するデバイス）へ直接送信するこののみが必要である。第１の接続解除メッセージを受信した後に、デバイスは、第１の端末と第２の端末との間で確立されたセッションのリソース、およびダイレクトリンクのリソースを解除してよく、従って、ダイレクトリンクは削除される。この方式は極めて簡単である。
【００１７】
第１の態様の第２の可能な実装方式、第３の可能な実装方式、第４の可能な実装方式、または第５の可能な実装方式に関連して、第１の態様の第６の可能な実装方式において、ダイレクトリンクが確立された後に、方法はさらに、第１のネットワークデバイスが、第１の端末が第３のアクセスネットワークデバイスへハンドオーバされる予定であると判定する段階と、第１のネットワークデバイスが、ハンドオーバ要求を第３のアクセスネットワークデバイスへ送信する段階、または第１のネットワークデバイスが、第２のコアネットワークデバイスを用いることによって、ハンドオーバ要求を第３のアクセスネットワークデバイスへ送信する段階とを備え、ここで、ハンドオーバ要求は、第２の端末の位置情報および第１のルーティング情報のうち少なくとも１つを保持し、第２の端末の位置情報および第１のルーティング情報のうち少なくとも１つは、第１の端末と第２の端末との間の新たなダイレクトリンクの第２のルーティング情報を取得するために用いられる。
【００１８】
ダイレクトリンクが確立された後に、端末の位置変更に起因してダイレクトリンクのハンドオーバを実行する必要があり得る。この場合、第１のアクセスネットワークデバイスは、ハンドオーバ要求を第３のアクセスネットワークデバイスへ送信することのみが必要である。例えば、第３のアクセスネットワークデバイスは、ハンドオーバ要求において保持されている第２の端末の位置情報および第１のルーティング情報のうち少なくとも１つに従って、第２のルーティング情報を取得してよく、これにより、第３のアクセスネットワークデバイスへハンドオーバした後に、第１の端末は、新たなダイレクトリンクを用いることによって第２の端末と通信し得る。ハンドオーバ処理は、端末の参加なしで、比較的簡単である。このことは、端末の位置変更の後であっても、伝送経路が可能な限り短くできることを保証する。
【００１９】
第１の態様に関連して、第１の態様の第７の可能な実装方式において、第１のネットワークデバイスが第２のコアネットワークデバイスである場合、第１のネットワークデバイスが第１の端末の位置情報および第１の情報を取得する段階は、第１のネットワークデバイスが、第１の端末にサービスを提供する第１のアクセスネットワークデバイスによって送信された第１の端末の位置情報および第１の情報を受信する段階を含み、第１のネットワークデバイスが、第１の端末の位置情報と第１の情報とに従って、第１のルーティング情報を取得する段階は、第１のネットワークデバイスが、第１の端末の位置情報と第１の情報とに従って、ダイレクトリンクが第１の端末と第２の端末との間で確立され得るかを判定する段階と、第１のネットワークデバイスが、ダイレクトリンクが第１の端末と第２の端末との間で確立され得ると判定した場合、第１のネットワークデバイスが、第１の端末の位置情報と第１の情報とに従って、第１のルーティング情報を生成する段階とを含む。
【００２０】
判定処理は第２のコアネットワークデバイスによって実行されてよく、これにより、アクセスネットワークデバイス上の負荷が軽減される。第２のコアネットワークデバイスが、ダイレクトリンクが第１の端末と第２の端末との間で確立され得ると判定した限り、第２のコアネットワークデバイスは、第１のルーティング情報を生成し得る。このように、２つの端末が互いに通信するとき、サービスデータ伝送経路は、第１の端末→第１のアクセスネットワークデバイス→第２のアクセスネットワークデバイス→第２の端末であってよく、または、第１の端末→第１のアクセスネットワークデバイス→第１のコアネットワークデバイス→第２のアクセスネットワークデバイス→第２の端末であってよい。経路のどちらかが従来技術の伝送経路より短い。従って、伝送遅延が短縮され、伝送効率が向上し、伝送リソースが節約される。
【００２１】
第１の態様の第７の可能な実装方式に関連して、第１の態様の第８の可能な実装方式において、第１のネットワークデバイスが、第１のルーティング情報を生成する段階の後に、方法はさらに、第１のネットワークデバイスが、ダイレクトリンクを確立するように、第１のルーティング情報を、第２の端末サービスを提供する第２のアクセスネットワークデバイスへ送信する段階、または、第１のネットワークデバイスが、ダイレクトリンクを確立するように、第１のルーティング情報を、第１のコアネットワークデバイスと、第２の端末にサービスを提供する第２のアクセスネットワークデバイスとへ別々に送信する段階を備える。
【００２２】
第１のルーティング情報を生成した後に、第２のコアネットワークデバイスは、第１のルーティング情報を、第１の端末と第２の端末との間のダイレクトリンクに関するデバイスへ送信する必要もある。このように、第１のルーティング情報を受信した後に、対応するデバイスは、第１のルーティング情報に従って自己設定を実行してよく、このことは、ダイレクトリンクの確立に相当する。第１のルーティング情報が送信されたデバイスは、システムまたはプロトコルによって特定されてよく、または、第２のコアネットワークデバイスによって自己判定されてよい。
【００２３】
第１の態様の第８の可能な実装方式に関連して、第１の態様の第９の可能な実装方式において、ダイレクトリンクが確立された後に、方法はさらに、第１のネットワークデバイスが、第１の接続解除メッセージを、第２のアクセスネットワークデバイスへ送信する段階、または、第１のネットワークデバイスが、第１の接続解除メッセージを、第２のアクセスネットワークデバイスと、第１のコアネットワークデバイスとへ別々に送信する段階を備え、ここで、第１の接続解除メッセージは、セッションのリソースおよびダイレクトリンクのリソースを解除するように命令するために用いられる。
【００２４】
ダイレクトリンクが確立された後に、ダイレクトリンクを削除する必要があり得る。この場合、ダイレクトリンクの確立が第２のコアネットワークデバイスによって判定された場合、第２のコアネットワークデバイスは、第１の接続解除メッセージを、ダイレクトリンクに関するデバイス（すなわち、第１のルーティング情報を受信するデバイス）へ送信することのみが必要であり得る。第１の接続解除メッセージを受信した後に、デバイスは、第１の端末と第２の端末との間で確立されたセッションのリソース、およびダイレクトリンクのリソースを解除してよく、従って、ダイレクトリンクが削除される。この方式は、極めて簡単である。
【００２５】
第１の態様の第８の可能な実装方式または第９の可能な実装方式に関連して、第１の態様の第１０の可能な実装方式において、ダイレクトリンクが確立された後に、方法はさらに、第１のネットワークデバイスが、第２の通知メッセージを受信する段階であって、第２の通知メッセージは、第１の端末が第３のアクセスネットワークデバイスへハンドオーバされる予定であることを示すために用いられ、第２の通知メッセージは、第２の端末の位置情報および第１のルーティング情報のうち少なくとも１つを保持する、段階と、第１のネットワークデバイスが、第２の端末の位置情報および第１のルーティング情報のうち少なくとも１つに従って、第２のルーティング情報を取得する段階であって、第２のルーティング情報は、第２の端末と、第３のアクセスネットワークデバイスへハンドオーバされた第１の端末との間のダイレクトリンクのルーティング情報である、段階と、第１のネットワークデバイスが、第２のルーティング情報を、第２のアクセスネットワークデバイスと第３のアクセスネットワークデバイスとへ別々に送信する段階、または第１のネットワークデバイスが、第２のルーティング情報を、第２のアクセスネットワークデバイスと、第３のアクセスネットワークデバイスと、第１のコアネットワークデバイスとへ別々に送信する段階とを備える。
【００２６】
セルハンドオーバが第１の端末の位置変更に起因して実行される必要があるとき、第１のアクセスネットワークデバイスは、第２の通知メッセージを第２のコアネットワークデバイスへ送信してよく、そして、第２のコアネットワークデバイスは、第２のルーティング情報を取得し得て、これにより、第３のアクセスネットワークデバイスへハンドオーバされた後に、第１の端末は、新たなダイレクトリンクを用いることによって第２の端末と通信し得る。ハンドオーバ処理は、端末の参加なしで、比較的簡単である。このことは、端末の位置変更の後であっても、伝送経路が可能な限り短くできることを保証する。
【００２７】
第２の態様によれば、第２のリンク確立方法が提供され、方法は、第２のコアネットワークデバイスが第１のダイレクトルーティング要求メッセージを受信する段階と、第２のコアネットワークデバイスが、第１のダイレクトルーティング要求メッセージに従って、第１のルーティング情報を生成する段階であって、第１のルーティング情報は、第１の端末と第２の端末との間のダイレクトリンクのルーティング情報であり、第１の端末は、第２の端末とのセッションを確立することを要求する、段階とを備える。
【００２８】
例えば、第１のアクセスネットワークデバイスが、ダイレクトリンクが第１の端末と第２の端末との間で確立され得ると判定した場合、第１のアクセスネットワークデバイスは、第１のダイレクトルーティング要求メッセージを第２のコアネットワークデバイスへ送信してよく、そして、第２のコアネットワークデバイスは、第１のルーティング情報を生成してよい。従って、第１のアクセスネットワークデバイス上の負荷が軽減され、第１のアクセスネットワークデバイスのために設定される必要のある機能がより少なくなり、第１のアクセスネットワークデバイスのコストがある程度低減され得る。
【００２９】
第２の態様に関連して、第２の態様の第１の可能な実装方式において、第２のコアネットワークデバイスが第１のルーティング情報を生成する段階の後に、方法はさらに、第２のコアネットワークデバイスが、ダイレクトリンクを確立するように、第１のルーティング情報を、第１の端末にサービスを提供する第１のアクセスネットワークデバイスと、第２の端末にサービスを提供する第２のアクセスネットワークデバイスとへ別々に送信する段階、または第２のコアネットワークデバイスが、ダイレクトリンクを確立するように、第１のルーティング情報を、第１の端末にサービスを提供する第１のアクセスネットワークデバイスと、第２の端末にサービスを提供する第２のアクセスネットワークデバイスと、第１のコアネットワークデバイスとへ別々に送信する段階を備える。
【００３０】
第１のルーティング情報が生成された後に、第１のルーティング情報を、ダイレクトリンクに関するデバイスへ送信する必要がある。第１のルーティング情報を受信した後に、対応するデバイスは、ダイレクトリンクを確立するように、第１のルーティング情報に従って、自己設定を実行してよい。従って、第１の端末および第２の端末は、ダイレクトリンクを用いることによって互いに通信し得て、伝送経路が短縮される。
【００３１】
第２の態様の第１の可能な実装方式に関連して、第２の態様の第２の可能な実装方式において、ダイレクトリンクが確立された後に、方法はさらに、第２のコアネットワークデバイスが、第１の接続解除メッセージを、第１のアクセスネットワークデバイスと第２のアクセスネットワークデバイスとへ別々に送信する段階、または第２のコアネットワークデバイスが、第１の接続解除メッセージを、第１のアクセスネットワークデバイスと、第２のアクセスネットワークデバイスと、第１のコアネットワークデバイスとへ別々に送信する段階を備え、ここで、第１の接続解除メッセージは、セッションのリソースおよびダイレクトリンクのリソースを解除するように命令するために用いられる。
【００３２】
第２の態様の第１の可能な実装方式または第２の可能な実装方式に関連して、第２の態様の第３の可能な実装方式において、ダイレクトリンクが確立された後に、方法はさらに、第２のコアネットワークデバイスが、第２のダイレクトルーティング要求メッセージを受信する段階であって、第２のダイレクトルーティング要求メッセージは、第２のルーティング情報を割り当てるように第２のコアネットワークデバイスに命令するために用いられ、第２のルーティング情報は、第２の端末と、第３のアクセスネットワークデバイスへハンドオーバされた第１の端末との間のダイレクトリンクのルーティング情報である、段階と、第２のコアネットワークデバイスが、第２のルーティング情報を生成する段階と、第２のコアネットワークデバイスが、第２のルーティング情報を第２のアクセスネットワークデバイスと第３のアクセスネットワークデバイスとへ別々に送信する段階、または第２のコアネットワークデバイスが、第２のルーティング情報を第２のアクセスネットワークデバイスと、第３のアクセスネットワークデバイスと、第１のコアネットワークデバイスとへ別々に送信する段階とを備える。
【００３３】
ダイレクトリンクのハンドオーバを実行する必要があるとき、第１のアクセスネットワークデバイスは、新たなダイレクトリンクが依然として第１の端末と第２の端末との間で確立し得るかを判定してよい。新たなダイレクトリンクが依然として第１の端末と第２の端末との間で確立され得ると判定された場合、第１のアクセスネットワークデバイスは、第２のダイレクトルーティング要求メッセージを第２のコアネットワークデバイスへ送信してよく、第２のコアネットワークデバイスは、第２のルーティング情報を直接生成してよい。このように、アクセスネットワークデバイスにより行われる必要のある作業がより少なくなり、アクセスネットワークデバイス上の負荷が軽減される。
【００３４】
第３の態様によれば、第３のリンク確立方法が提供され、方法は、第３のアクセスネットワークデバイスが、第１のアクセスネットワークデバイスからのハンドオーバ要求を受信する段階であって、ハンドオーバ要求は、第１の端末が第１のアクセスネットワークデバイスから第３のアクセスネットワークデバイスへハンドオーバされる予定であることを示すために用いられ、ハンドオーバ要求は、第２の端末の位置情報および第１のルーティング情報のうち少なくとも１つを保持し、第１のルーティング情報は、第２の端末と、第１のアクセスネットワークデバイスにアクセスする第１の端末との間の古いダイレクトリンクのルーティング情報であり、第１の端末および第２の端末は、古いダイレクトリンクを用いることによってセッションを有している、段階と、第３のアクセスネットワークデバイスが、第２の端末の位置情報および第１のルーティング情報のうち少なくとも１つに従って、第１の端末と第２の端末との間の新たなダイレクトリンクの第２のルーティング情報を取得する段階とを備える。
【００３５】
ダイレクトリンクのハンドオーバを実行する必要があるとき、第１のアクセスネットワークデバイスは、ハンドオーバ要求を第３のアクセスネットワークデバイスへ送信してよく、そして、第３のアクセスネットワークデバイスは、ハンドオーバ要求において保持されている第２の端末の位置情報および第１のルーティング情報のうち少なくとも１つに従って、第２のルーティング情報を取得してよい。従って、第３のアクセスネットワークデバイスへハンドオーバされた後に、第１の端末は、新たなダイレクトリンクを用いることによって第２の端末と通信し続けてよい。このことは、通信処理の中断を可能な限り回避し、伝送経路を可能な限り短縮する。
【００３６】
第３の態様に関連して、第３の態様の第１の可能な実装方式において、第３のアクセスネットワークデバイスが、第２の端末の位置情報および第１のルーティング情報のうち少なくとも１つに従って、第１の端末と第２の端末との間の新たなダイレクトリンクの第２のルーティング情報を取得する段階は、第３のアクセスネットワークデバイスが、第２の端末の位置情報および第１のルーティング情報のうち少なくとも１つに従って、新たなダイレクトリンクが第１の端末と第２の端末との間で確立し得るかを判定する段階と、第３のアクセスネットワークデバイスが、新たなダイレクトリンクが第１の端末と第２の端末との間で確立され得ると判定した場合、第３のアクセスネットワークデバイスが、第２の端末の位置情報および第１のルーティング情報のうち少なくとも１つに従って、第２のルーティング情報を生成する段階とを含むか、または、第３のアクセスネットワークデバイスが、第２の端末の位置情報および第１のルーティング情報のうち少なくとも１つに従って、新たなダイレクトリンクが第１の端末と第２の端末との間で確立され得るかを判定する段階と、第３のアクセスネットワークデバイスが、新たなダイレクトリンクが第１の端末と第２の端末との間で確立され得ると判定した場合、第３のアクセスネットワークデバイスが、第２のダイレクトルーティング要求メッセージを第２のコアネットワークデバイスへ送信する段階であって、第２のダイレクトルーティング要求メッセージは、第２のルーティング情報を割り当てるように第２のコアネットワークデバイスに命令するために用いられる、段階と、第３のアクセスネットワークデバイスが、第２のコアネットワークデバイスからの第２のルーティング情報を受信する段階とを含む。
【００３７】
すなわち、第３のアクセスネットワークデバイスが、新たなダイレクトリンクが第１の端末と第２の端末との間で確立され得ると判定した後に、第３のアクセスネットワークデバイスは、第２のルーティング情報を直接生成してよい。第２のルーティング情報は、別のデバイスを用いることなく比較的簡単な方式で生成され、必要とされる時間が比較的短い。あるいは、第３のアクセスネットワークデバイスが、新たなダイレクトリンクが第１の端末と第２の端末との間で確立され得ると判定した後に、第３のアクセスネットワークデバイスは、第２のダイレクトルーティング要求メッセージを第２のコアネットワークデバイスへ送信してよく、第２のコアネットワークデバイスは、第２のルーティング情報を生成してよい。従って、第３のアクセスネットワークデバイス上の負荷が軽減される。
【００３８】
第３の態様の第１の可能な実装方式に関連して、第３の態様の第２の可能な実装方式において、第３のアクセスネットワークデバイスが、第２の端末の位置情報および第１のルーティング情報のうち少なくとも１つに従って、第２のルーティング情報を生成した後に、方法はさらに、第３のアクセスネットワークデバイスが、新たなダイレクトリンクを確立するように、第２のルーティング情報を、第２の端末にサービスを提供する第２のアクセスネットワークデバイスへ送信する段階、または第３のアクセスネットワークデバイスが、新たなダイレクトリンクを確立するように、第２のルーティング情報を、第１のコアネットワークデバイスと、第２の端末にサービスを提供する第２のアクセスネットワークデバイスとへ送信する段階を備える。
【００３９】
第２のルーティング情報が第３のアクセスネットワークデバイスによって生成された場合、第３のアクセスネットワークデバイスはさらに、新たなダイレクトリンクを確立するように、第２のルーティング情報を新たなダイレクトリンクに関するデバイスへ送信する必要がある。しかしながら、第２のルーティング情報が第２のコアネットワークデバイスによって生成された場合、第２のコアネットワークデバイスは、第２のルーティング情報を新たなダイレクトリンクに関するデバイスへ送信してよく、従って、第３のアクセスネットワークデバイスによって行われる必要のある作業がより少なくなる。
【００４０】
第３の態様の第２の可能な実装方式に関連して、第３の態様の第３の可能な実装方式において、第３のアクセスネットワークデバイスが、第２のルーティング情報を第２の端末にサービスを提供する第２のアクセスネットワークデバイスへ送信する段階は、第３のアクセスネットワークデバイスが、第２のルーティング情報を第２のアクセスネットワークデバイスへ直接送信する段階、または、第３のアクセスネットワークデバイスが、第２のコアネットワークデバイスを用いることによって第２のルーティング情報を第２のアクセスネットワークデバイスへ送信する段階を含む。
【００４１】
同様に、２つのアクセスネットワークデバイスは、互いに直接通信してよく、または、コアネットワークデバイスを用いることによって互いに通信してよい。このことは、比較的フレキシブルである。
【００４２】
第４の態様によれば、第４のリンク確立方法が提供され、方法は、第２の端末とのセッションを確立することを要求するとき、第１の端末が、第１の端末と第２の端末との間のシグナリングチャネル、または第１の端末とネットワーク側との間のシグナリングチャネルを用いることによって、第２の端末の位置情報を取得する段階と、第１の端末が、第１の端末の位置情報および第２の端末の位置情報を第１のネットワークデバイスへ送信する段階であって、第１の端末の位置情報および第２の端末の位置情報は、第１の端末と第２の端末との間のダイレクトリンクの第１のルーティング情報を取得するために用いられる、段階とを備える。
【００４３】
第１の端末が第１の端末の位置情報および第２の端末の位置情報を第１のネットワークデバイスへ送信する限り、第１の端末は、ダイレクトリンクを用いることによって第２の端末と通信し得る。従って、端末により行われる必要のある作業が極めて簡単でなり、２つの端末の間の伝送経路が短縮され、伝送リソースが節約され、伝送効率が向上する。
【００４４】
第５の態様によれば、ネットワークデバイスが提供され、ネットワークデバイスは、命令を記憶するように構成されるメモリと、プロセッサとを備え、プロセッサは、第２の端末とのセッションを確立することを要求する第１の端末の位置情報と、第２の端末の位置情報およびセッションの識別子情報のうち少なくとも１つである第１の情報とを取得し、第１の端末の位置情報と第１の情報とに従って、第１の端末と第２の端末との間のダイレクトリンクのルーティング情報である第１のルーティング情報を取得すべく、命令を実行するように構成される。
【００４５】
第５の態様に関連して、第５の態様の第１の可能な実装方式において、ネットワークデバイスが第１の端末にサービスを提供する第１のアクセスネットワークデバイスである場合、ネットワークデバイスはさらに、トランスミッタと受信機とを備え、プロセッサは、第１の端末の位置情報と第１の情報とに従って、ダイレクトリンクが第１の端末と第２の端末との間で確立され得るかを判定し、ダイレクトリンクが第１の端末と第２の端末との間で確立され得ると判定した場合、第１の端末の位置情報と第１の情報とに従って、第１のルーティング情報を生成するか、または、第１の端末の位置情報と第１の情報とに従って、ダイレクトリンクが第１の端末と第２の端末との間で確立され得るかを判定し、ダイレクトリンクが第１の端末と第２の端末との間で確立され得ると判定した場合、トランスミッタを用いることによって、第１のルーティング情報を割り当てるように第２のコアネットワークデバイスに命令するために用いられる第１のダイレクトルーティング要求メッセージを第２のコアネットワークデバイスへ送信し、第２のコアネットワークデバイスからの第１のルーティング情報を、受信機を用いることによって受信するように構成される。
【００４６】
第５の態様の第１の可能な実装方式に関連して、第５の態様の第２の可能な実装方式において、プロセッサはさらに、第１の端末の位置情報と第１の情報とに従って、第１のルーティング情報を生成した後に、ダイレクトリンクを確立するように、トランスミッタを用いることによって、第１のルーティング情報を、第２の端末にサービスを提供する第２のアクセスネットワークデバイスへ送信するか、または、第１の端末の位置情報と第１の情報とに従って、第１のルーティング情報を生成した後に、ダイレクトリンクを確立するように、第１のルーティング情報を、第１のコアネットワークデバイスと、第２の端末にサービスを提供する第２のアクセスネットワークデバイスとへ別々に送信するように構成される。
【００４７】
第５の態様の第２の可能な実装方式に関連して、第５の態様の第３の可能な実装方式において、プロセッサは、トランスミッタを用いることによって第１のルーティング情報を第２のアクセスネットワークデバイスへ直接送信するか、または、トランスミッタおよび第２のコアネットワークデバイスを用いることによって、第１のルーティング情報を第２のアクセスネットワークデバイスへ送信するように構成される。
【００４８】
第５の態様の第２の可能な実装方式または第３の可能な実装方式に関連して、第５の態様の第４の可能な実装方式において、プロセッサはさらに、トランスミッタを用いることによって、第１のルーティング情報を、第２の端末にサービスを提供する第２のアクセスネットワークデバイスへ送信した後に、または、トランスミッタを用いることによって、第１のルーティング情報を、第１のコアネットワークデバイスと第２の端末にサービスを提供する第２のアクセスネットワークデバイスとへ別々に送信した後に、第１の通知メッセージを第２のコアネットワークデバイスへ送信するように構成され、ここで、第１の通知メッセージは、第１の端末と第２の端末との間で確立されたダイレクトリンクを示すために用いられる。
【００４９】
第５の態様の第２の可能な実装方式、第３の可能な実装方式、または第４の可能な実装方式に関連して、第５の態様の第５の可能な実装方式において、プロセッサはさらに、ダイレクトリンクが確立された後に、トランスミッタを用いることによって第１の接続解除メッセージを第２のアクセスネットワークデバイスへ直接送信するか、または、トランスミッタおよび第２のコアネットワークデバイスを用いることによって、第１の接続解除メッセージを第２のアクセスネットワークデバイスおよび第１のコアネットワークデバイスのうち少なくとも１つへ送信するように構成され、ここで、第１の接続解除メッセージは、セッションのリソースおよびダイレクトリンクのリソースを解除するように命令するために用いられる。
【００５０】
第５の態様の第２の可能な実装方式、第３の可能な実装方式、第４の可能な実装方式、または第５の可能な実装方式に関連して、第５の態様の第６の可能な実装方式において、プロセッサはさらに、ダイレクトリンクが確立された後に、第１の端末が第３のアクセスネットワークデバイスへハンドオーバされる予定であると判定し、トランスミッタを用いることによって、ハンドオーバ要求を第３のアクセスネットワークデバイスへ送信するか、または、トランスミッタおよび第２のコアネットワークデバイスを用いることによってハンドオーバ要求を第３のアクセスネットワークデバイスへ送信するように構成され、ここで、ハンドオーバ要求は、第２の端末の位置情報および第１のルーティング情報のうち少なくとも１つを保持し、第２の端末の位置情報および第１のルーティング情報のうち少なくとも１つは、第１の端末と第２の端末との間の新たなダイレクトリンクの第２のルーティング情報を取得するために用いられる。
【００５１】
第５の態様に関連して、第５の態様の第７の可能な実装方式において、ネットワークデバイスが第２のコアネットワークデバイスである場合、ネットワークデバイスはさらに、受信機を備え、プロセッサは、受信機を用いることによって、第１の端末にサービスを提供する第１のアクセスネットワークデバイスによって送信された第１の端末の位置情報および第１の情報を受信し、第１の端末の位置情報と第１の情報とに従って、ダイレクトリンクが第１の端末と第２の端末との間で確立され得るかを判定し、ダイレクトリンクが第１の端末と第２の端末との間で確立され得ると判定した場合、第１の端末の位置情報と第１の情報とに従って、第１のルーティング情報を生成するように構成される。
【００５２】
第５の態様の第７の可能な実装方式に関連して、第５の態様の第８の可能な実装方式において、ネットワークデバイスはさらに、トランスミッタを備え、プロセッサはさらに、第１のルーティング情報を生成した後に、ダイレクトリンクを確立するように、トランスミッタを用いることによって、第１のルーティング情報を、第２の端末にサービスを提供する第２のアクセスネットワークデバイスへ送信するか、または、第１のルーティング情報を生成した後に、ダイレクトリンクを確立するように、トランスミッタを用いることによって、第１のルーティング情報を、第１のコアネットワークデバイスと第２の端末にサービスを提供する第２のアクセスネットワークデバイスとへ別々に送信するように構成される。
【００５３】
第５の態様の第８の可能な実装方式に関連して、第５の態様の第９の可能な実装方式において、プロセッサはさらに、ダイレクトリンクが確立された後に、トランスミッタを用いることによって、第１の接続解除メッセージを、第２のアクセスネットワークデバイスへ送信するか、または、トランスミッタを用いることによって、第１の接続解除メッセージを、第２のアクセスネットワークデバイスと第１のコアネットワークデバイスとへ別々に送信するように構成され、ここで、第１の接続解除メッセージは、セッションのリソースおよびダイレクトリンクのリソースを解除するように命令するために用いられる。
【００５４】
第５の態様の第８の可能な実装方式または第９の可能な実装方式に関連して、第５の態様の第１０の可能な実装方式において、プロセッサはさらに、ダイレクトリンクが確立された後に、受信機を用いることによって、第１の端末が第３のアクセスネットワークデバイスへハンドオーバされる予定であることを示すために用いられ、かつ、第２の端末の位置情報および第１のルーティング情報のうち少なくとも１つを保持する第２の通知メッセージを受信し、第２の端末の位置情報および第１のルーティング情報のうち少なくとも１つに従って、第２の端末と第３のアクセスネットワークデバイスへハンドオーバされた第１の端末との間のダイレクトリンクのルーティング情報である第２のルーティング情報を取得し、トランスミッタを用いることによって、第２のルーティング情報を、第２のアクセスネットワークデバイスと第３のアクセスネットワークデバイスとへ別々に送信するか、または、トランスミッタを用いることによって、第２のルーティング情報を、第２のアクセスネットワークデバイスと、第３のアクセスネットワークデバイスと、第１のコアネットワークデバイスとへ別々に送信するように構成される。
【００５５】
第６の態様によれば、コアネットワークデバイスが提供され、コアネットワークデバイスは、命令を記憶するように構成されるメモリと、第１のダイレクトルーティング要求メッセージを受信するように構成される受信機と、受信機によって受信された第１のダイレクトルーティング要求メッセージに従って第１のルーティング情報を生成すべく、命令を実行するように構成されるプロセッサであって、第１のルーティング情報は、第１の端末と第２の端末との間のダイレクトリンクのルーティング情報であり、第１の端末は、第２の端末とのセッションを確立することを要求する、プロセッサとを備える。
【００５６】
第６の態様に関連して、第６の態様の第１の可能な実装方式において、コアネットワークデバイスはさらに、トランスミッタを備え、プロセッサは、第１のルーティング情報を生成した後に、ダイレクトリンクを確立するように、トランスミッタを用いることによって、第１のルーティング情報を、第２の端末にサービスを提供する第２のアクセスネットワークデバイスへ送信するか、または、第１のルーティング情報を生成した後に、ダイレクトリンクを確立するように、トランスミッタを用いることによって、第１のルーティング情報を、第２の端末にサービスを提供する第２のアクセスネットワークデバイスと第１のコアネットワークデバイスとへ別々に送信するように構成される。
【００５７】
第６の態様の第１の可能な実装方式に関連して、第６の態様の第２の可能な実装方式において、プロセッサはさらに、ダイレクトリンクが確立された後に、トランスミッタを用いることによって、第１の接続解除メッセージを、第１のアクセスネットワークデバイスと第２のアクセスネットワークデバイスとへ別々に送信するか、または、トランスミッタを用いることによって、第１の接続解除メッセージを、第１のアクセスネットワークデバイスと、第２のアクセスネットワークデバイスと、第１のコアネットワークデバイスとへ別々に送信するように構成され、ここで、第１の接続解除メッセージは、セッションのリソースおよびダイレクトリンクのリソースを解除するように命令するために用いられる。
【００５８】
第６の態様の第１の可能な実装方式または第２の可能な実装方式に関連して、第６の態様の第３の可能な実装方式において、受信機はさらに、ダイレクトリンクが確立された後に、第２の端末と、第３のアクセスネットワークデバイスへハンドオーバされた第１の端末との間のダイレクトリンクのルーティング情報である第２のルーティング情報を割り当てるようにコアネットワークデバイスに命令するために用いられる第２のダイレクトルーティング要求メッセージを受信するように構成され、プロセッサはさらに、第２のルーティング情報を生成し、トランスミッタを用いることによって、第２のルーティング情報を、第２のアクセスネットワークデバイスと第３のアクセスネットワークデバイスとへ別々に送信するか、または、トランスミッタを用いることによって、第２のルーティング情報を、第２のアクセスネットワークデバイスと、第３のアクセスネットワークデバイスと、第１のコアネットワークデバイスとへ別々に送信するように構成される。
【００５９】
第７の態様によれば、アクセスネットワークデバイスが提供され、アクセスネットワークデバイスは、命令を記憶するように構成されるメモリと、第１のアクセスネットワークデバイスからのハンドオーバ要求を受信するように構成される受信機であって、ハンドオーバ要求は、第１の端末が第１のアクセスネットワークデバイスからアクセスネットワークデバイスへハンドオーバされる予定であることを示すために用いられ、ハンドオーバ要求は、第２の端末の位置情報および第１のルーティング情報のうち少なくとも１つを保持し、第１のルーティング情報は、第２の端末と、第１のアクセスネットワークデバイスにアクセスする第１の端末との間の古いダイレクトリンクのルーティング情報であり、第１の端末および第２の端末は、古いダイレクトリンクを用いることによってセッションを有している、受信機と、第２の端末の位置情報および第１のルーティング情報のうち少なくとも１つに従って、第１の端末と第２の端末との間の新たなダイレクトリンクの第２のルーティング情報を取得すべく、命令を実行するように構成されるプロセッサとを備える。
【００６０】
第７の態様に関連して、第７の態様の第１の可能な実装方式において、アクセスネットワークデバイスはさらに、トランスミッタを備え、プロセッサは、第２の端末の位置情報および第１のルーティング情報のうち少なくとも１つに従って、新たなダイレクトリンクが第１の端末と第２の端末との間で確立され得るかを判定し、新たなダイレクトリンクが第１の端末と第２の端末との間で確立され得ると判定した場合、第２の端末の位置情報および第１のルーティング情報のうち少なくとも１つに従って、第２のルーティング情報を生成するか、または、第２の端末の位置情報および第１のルーティング情報のうち少なくとも１つに従って、新たなダイレクトリンクが第１の端末と第２の端末との間で確立され得るかを判定し、新たなダイレクトリンクが第１の端末と第２の端末との間で確立され得ると判定した場合、トランスミッタを用いることによって、第２のルーティング情報を割り当てるように第２のコアネットワークデバイスに命令するために用いられる第２のダイレクトルーティング要求メッセージを第２のコアネットワークデバイスへ送信し、第２のコアネットワークデバイスからの第２のルーティング情報を、受信機を用いることによって受信するように構成される。
【００６１】
第７の態様の第１の可能な実装方式に関連して、第７の態様の第２の可能な実装方式において、プロセッサはさらに、第２の端末の位置情報および第１のルーティング情報のうち少なくとも１つに従って、第２のルーティング情報を生成した後に、新たなダイレクトリンクを確立するように、トランスミッタを用いることによって、第２のルーティング情報を、第２の端末にサービスを提供する第２のアクセスネットワークデバイスへ送信するか、または、第２の端末の位置情報および第１のルーティング情報のうち少なくとも１つに従って、第２のルーティング情報を生成した後に、新たなダイレクトリンクを確立するように、トランスミッタを用いることによって、第２のルーティング情報を、第１のコアネットワークデバイスと、第２の端末にサービスを提供する第２のアクセスネットワークデバイスとへ送信するように構成される。
【００６２】
第７の態様の第２の可能な実装方式に関連して、第７の態様の第３の可能な実装方式において、プロセッサは、トランスミッタを用いることによって、第２のルーティング情報を第２のアクセスネットワークデバイスへ直接送信するか、または、トランスミッタおよび第２のコアネットワークデバイスを用いることによって、第２のルーティング情報を第２のアクセスネットワークデバイスへ送信するように構成される。
【００６３】
第８の態様によれば、端末が提供され、端末は、命令を記憶するように構成されるメモリと、第２の端末とのセッションを確立することを要求するとき、端末と第２の端末との間のシグナリングチャネル、または端末とネットワーク側との間のシグナリングチャネルを用いることによって、第２の端末の位置情報を取得し、トランスミッタを用いることによって、端末の位置情報および第２の端末の位置情報を第１のネットワークデバイスへ送信すべく、命令を実行するように構成されるプロセッサであって、端末の位置情報および第２の端末の位置情報は、端末と第２の端末との間のダイレクトリンクの第１のルーティング情報を取得するために用いられる、プロセッサとを備える。
【００６４】
第９の態様によれば、ネットワークデバイスが提供され、ネットワークデバイスは、第１の態様に係る方法を実行するように構成されるモジュールを備える。
【００６５】
第１０の態様によれば、コアネットワークデバイスが提供され、コアネットワークデバイスは、第２の態様に係る方法を実行するように構成されるモジュールを備える。
【００６６】
第１１の態様によれば、アクセスネットワークデバイスが提供され、アクセスネットワークデバイスは、第３の態様に係る方法を実行するように構成されるモジュールを備える。
【００６７】
第１２の態様によれば、端末が提供され、端末は、第４の態様に係る方法を実行するように構成されるモジュールを備える。
【図面の簡単な説明】
【００６８】
本開示の実施形態の技術的解決手段をより明確に説明するために、以下では、本開示の実施形態を説明するために必要とされる添付図面を簡潔に説明する。明らかに、以下の説明における添付図面は、本開示のいくつかの実施形態を示しているに過ぎず、当業者は、創造的努力なしでこれらの添付図面から他の図面をさらに導出し得る。
【００６９】
【図１】Ｐ２Ｐ通信中の伝送経路の概略図である。
【００７０】
【図２】本開示の実施形態に係る第１のリンク確立方法のフローチャートである。
【００７１】
【図３】本開示の実施形態に係る第２のリンク確立方法のフローチャートである。
【００７２】
【図４】本開示の実施形態に係る第３のリンク確立方法のフローチャートである。
【００７３】
【図５】本開示の実施形態に係る第４のリンク確立方法のフローチャートである。
【００７４】
【図６】本開示の実施形態に係るダイレクトリンク確立の第１のフローチャートである。
【００７５】
【図７】本開示の実施形態に係るダイレクトリンク確立の第２のフローチャートである。
【００７６】
【図８】本開示の実施形態に係るダイレクトリンク削除の第１のフローチャートである。
【００７７】
【図９】本開示の実施形態に係るダイレクトリンク削除の第２のフローチャートである。
【００７８】
【図１０】本開示の実施形態に係るダイレクトリンクハンドオーバの第１のフローチャートである。
【００７９】
【図１１】本開示の実施形態に係るダイレクトリンクハンドオーバの第２のフローチャートである。
【００８０】
【図１２Ａ】本開示の実施形態に係る第１のネットワークデバイスの概略構造図である。
【図１２Ｂ】本開示の実施形態に係る第１のネットワークデバイスの概略構造図である。
【００８１】
【図１３Ａ】本開示の実施形態に係る第２のコアネットワークデバイスの概略構造図である。
【図１３Ｂ】本開示の実施形態に係る第２のコアネットワークデバイスの概略構造図である。
【００８２】
【図１４Ａ】本開示の実施形態に係る第３のアクセスネットワークデバイスの概略構造図である。
【図１４Ｂ】本開示の実施形態に係る第３のアクセスネットワークデバイスの概略構造図である。
【００８３】
【図１５】本開示の実施形態に係る第１の端末の概略構造図である。
【００８４】
【図１６】本開示の実施形態に係る第１のネットワークデバイスの構造ブロック図である。
【００８５】
【図１７】本開示の実施形態に係る第２のコアネットワークデバイスの構造ブロック図である。
【００８６】
【図１８】本開示の実施形態に係る第３のアクセスネットワークデバイスの構造ブロック図である。
【００８７】
【図１９】本開示の実施形態に係る第１の端末の構造ブロック図である。
【発明を実施するための形態】
【００８８】
本開示の実施形態の目的、技術的解決手段、および利点をより明確にするために、以下では、本開示の実施形態の添付図面を参照して、本開示の実施形態の技術的解決手段を明確に説明する。明らかに、説明される実施形態は、本開示の実施形態の一部であって全てではない。当業者によって、創造的努力なく本開示の実施形態に基づいて取得される全ての他の実施形態は、本開示の保護範囲内に含まれるものとする。
【００８９】
本開示の実施形態の解決手段は、例えば、ロングタームエボリューション（ＬＴＥ）システム、第５世代移動通信システム（５Ｇ）、およびこの種類の別の通信システムなどの既存の移動通信システムに適用されてよい。ネットワーク側のデバイスは、ｅＮＢ、ＲＮＣ、もしくはＢＳＣであってよく、または基地局もしくはコアネットワークノードであってよい。
【００９０】
後続のネットワークアーキテクチャの進化過程において、コアネットワークの機能およびアクセスネットワークの機能はさらに、組み合わせられ、または分離されてよいが、どちらも本開示の実施形態の処理に影響を与えない。機能区分に関わらず、端末に対応する、データ伝送サービスを提供するデバイスは全て、ネットワークデバイスと称される。加えて、データ伝送処理において、複数の種類の中継デバイスが存在してよく、複数の種類の中継デバイスのうちの１つがユーザ機器であってよい。これらの中継デバイスは、本開示の実施形態におけるネットワークデバイスであってもよい。
【００９１】
本開示の実施形態におけるセッションは、Ｐ２Ｐセッションであってよく、または別の種類のセッションであってよい。
【００９２】
当業者が容易に理解するために、以下では、本開示の実施形態におけるいくつかの用語を説明する。
【００９３】
（１）端末とは、音声および／またはデータ接続をユーザへ提供するデバイスである。例えば、端末は、無線接続機能を有するハンドヘルドデバイス、または、無線モデムに接続される処理デバイスであってよい。端末は、無線アクセスネットワーク（ＲＡＮ）を用いることによってコアネットワークと通信し、ＲＡＮと音声および／またはデータを交換してよい。端末は、ユーザ機器（ＵＥ）、無線端末、移動端末、加入者ユニット、加入者局、移動局、遠隔局、アクセスポイント（ＡＰ）、遠隔端末、アクセス端末、ユーザ端末、ユーザエージェント、ユーザデバイス、または同様のものと称されてよい。例えば、端末は、携帯電話（または、「セルラ」フォーンと称されてよく）、移動端末を有するコンピュータ、または、ポータブル型、ポケットサイズ型、ハンドヘルド型、コンピュータ内蔵型、または車載型の移動装置であってよい。例えば、端末は、個人通信サービス（ＰＣＳ）電話、コードレス電話機、セッション開始プロトコル（ＳＩＰ）電話、ワイヤレスローカルループ（ＷＬＬ）局、またはパーソナルデジタルアシスタント（ＰＤＡ）などのデバイスであってよい。
【００９４】
（２）ネットワークデバイスは、例えば、基地局（例えば、アクセスポイント）などのアクセスネットワークデバイスであってよく、具体的には、アクセスネットワークにおいてエアインターフェース上で１つ又は複数のセクタを用いることによって無線端末と通信するデバイスであってよい。ネットワークデバイスは、受信された無線フレームとインターネットプロトコル（ＩＰ）パケットとを相互に変換し、無線端末と、アクセスネットワークの残りの部分との間のルータとして機能するように構成されてよい。アクセスネットワークの残りの部分は、ＩＰネットワークを含んでよい。ネットワークデバイスはさらに、エアインターフェースの属性管理を調整してよい。例えば、ネットワークデバイスは、無線ネットワークコントローラ（ＲＮＣ）、または基地局コントローラ（ＢＳＣ）であってよく、または、ロングタームエボリューションアドバンスト（ＬＴＥ−Ａ）における進化型Ｎｏｄｅ  Ｂ（ｅＮＢ）であってよい。本開示の実施形態において、このことは限定されない。
【００９５】
あるいは、例えば、ネットワークデバイスは、例えば、移動管理エンティティ（ＭＭＥ）などの、コアネットワークにおける制御ノードのようなコアネットワーク（ＣＮ）デバイスであってよい。ＭＭＥは、アクセスネットワークにおけるキー制御ノードである。
【００９６】
（３）Ｐ２Ｐ計算は単に、直接交換を通してコンピュータリソースおよびサービスを共有することと定義されてよい。ピアツーピア計算モデルによってアプリケーションレイヤにおいて形成されたネットワークは通常、ピアツーピアネットワーク、すなわち、Ｐ２Ｐネットワークと称される。本開示の実施形態において、Ｐ２Ｐネットワークを用いることによって実行されるセッションは、Ｐ２Ｐセッションと称される。Ｐ２Ｐネットワーク環境において、相互に接続されている数千のコンピュータがピアツーピアであり、ネットワーク全体は概して、専用の集中サーバに依存しない。ネットワークにおける各コンピュータは、ネットワークサービスのリクエスタとして機能し得て、別のコンピュータの要求にさらに応答してその別のコンピュータのためのリソースおよびサービスを提供し得る。リソースおよびサービスは通常、情報の共有および交換、計算リソース（ＣＰＵ共有など）、ストレージ共有（キャッシュおよびディスク空間の使用など）、および同様のものを含む。
【００９７】
（４）本開示の実施形態における「システム」および「ネットワーク」という用語は、互換的に用いられてよい。「複数」は、「少なくとも２つ」を意味する。「および／または」は、関連付けられた対象の間の関連関係を説明し、３つの関係が存在し得ることを示す。例えば、Ａおよび／またはＢは、Ａのみが存在する、ＡおよびＢが両方存在する、およびＢのみが存在するという３つの場合を示し得る。加えて、「／」という記号は、別途指定されていない限り、通常、関連付けられた対象の間の「または」という関係を示す。
【００９８】
以下ではさらに、本明細書の添付図面を参照して本開示の実施形態を詳細に説明する。
【００９９】
図２を参照すると、本開示の実施形態が、第１のリンク確立方法を提供する。方法の手順は以下の通り説明される。
【０１００】
段階２０１：第１のネットワークデバイスが、第１の端末の位置情報と第１の情報とを取得し、ここで、第１の端末は、第２の端末とのセッションを確立することを要求し、第１の情報は、第２の端末の位置情報およびセッションの識別子情報のうち少なくとも１つである。
【０１０１】
段階２０２：第１のネットワークデバイスは、第１の端末の位置情報と第１の情報とに従って、第１のルーティング情報を取得し、ここで、第１のルーティング情報は、第１の端末と第２の端末との間のダイレクトリンクのルーティング情報である。
【０１０２】
図３を参照すると、本開示の実施形態が第２のリンク確立方法を提供する。方法の手順は以下の通り説明される。
【０１０３】
段階３０１：第２の端末とのセッションを確立することを要求するとき、第１の端末が、第１の端末と第２の端末との間のシグナリングチャネル、または第１の端末とネットワーク側との間のシグナリングチャネルを用いることによって、第２の端末の位置情報を取得する。
【０１０４】
段階３０２：第１の端末は、第１の端末の位置情報および第２の端末の位置情報を第１のネットワークデバイスへ送信し、ここで、第１の端末の位置情報および第２の端末の位置情報は、第１の端末と第２の端末との間のダイレクトリンクの第１のルーティング情報を取得するために用いられる。
【０１０５】
図４を参照すると、本開示の実施形態が第３のリンク確立方法を提供する。方法の手順は以下の通り説明される。
【０１０６】
段階４０１：第２のコアネットワークデバイスが、第１のダイレクトルーティング要求メッセージを受信する。
【０１０７】
段階４０２：第２のコアネットワークデバイスは、第１のダイレクトルーティング要求メッセージに従って、第１のルーティング情報を生成し、ここで、第１のルーティング情報は、第１の端末と第２の端末との間のダイレクトリンクのルーティング情報であり、第１の端末は、第２の端末とのセッションを確立することを要求する。
【０１０８】
図５を参照すると、本開示の実施形態が第４のリンク確立方法を提供する。方法の手順は以下の通り説明される。
【０１０９】
段階５０１：第３のアクセスネットワークデバイスが、第１のアクセスネットワークデバイスからのハンドオーバ要求を受信し、ここで、ハンドオーバ要求は、第１の端末が第１のアクセスネットワークデバイスから第３のアクセスネットワークデバイスへハンドオーバされる予定であることを示すために用いられ、ハンドオーバ要求は、第２の端末の位置情報および第１のルーティング情報のうち少なくとも１つを保持し、第１のルーティング情報は、第２の端末と、第１のアクセスネットワークデバイスにアクセスする第１の端末との間の古いダイレクトリンクのルーティング情報であり、第１の端末および第２の端末は、古いダイレクトリンクを用いることによってセッションを有している。
【０１１０】
段階５０２：第３のアクセスネットワークデバイスは、第２の端末の位置情報および第１のルーティング情報のうち少なくとも１つに従って、第１の端末と第２の端末との間の新たなダイレクトリンクの第２のルーティング情報を取得する。
【０１１１】
図２、図３、図４、および図５は、対応関係にある方法を示しており、従って、以下において、それらの方法を一緒に説明する。
【０１１２】
以下では、アクセスネットワークデバイスが基地局であるという例が、説明のために用いられる。実際の応用中に、アクセスネットワークデバイスは、基地局に限定されなくてよい。第１のコアネットワークデバイスがＳ−ＧＷであり、第２のコアネットワークデバイスがＭＭＥであるという例が、説明のために用いられる。同様に、実際の応用中に、第１のコアネットワークデバイスはＳ−ＧＷに限定されず、第２のコアネットワークデバイスはＭＭＥに限定されない。例えば、コアネットワークにおける任意の制御ノードは第２のコアネットワークデバイスとして機能してよい。セッションがＰ２Ｐセッションであるという例が、説明のために用いられる。実際の応用中に、セッションの種類は限定されない。
【０１１３】
本開示の実施形態において、第１のアクセスネットワークデバイスおよび第２のアクセスネットワークデバイスは、同じアクセスネットワークデバイスであってよく、例えば、同じ基地局であってよい。すなわち、第１の端末および第２の端末は、同じ基地局によってサービスを提供されてよく、そして、ダイレクトリンクが、同じ基地局を用いることによって確立されるリンクであってよい。あるいは、第１のアクセスネットワークデバイスおよび第２のアクセスネットワークデバイスは、異なる基地局であってよく、そして、ダイレクトリンクを異なる基地局にわたって確立する必要がある。第３のアクセスネットワークデバイスおよび第１のアクセスネットワークデバイスは、異なる基地局である。第３のアクセスネットワークデバイスおよび第２のアクセスネットワークデバイスも、異なる基地局である。
【０１１４】
本開示の実施形態において、第１のネットワークデバイスは、第１の端末にサービスを提供する第１のアクセスネットワークデバイスであってよく（例えば、アクセスネットワークデバイスはＲＡＮデバイスと称されてもよい）、または、第２のコアネットワークデバイスであってよい（例えば、コアネットワークデバイスは、ＣＮデバイスと称されてもよい）。以下では、別々に説明を提供する。
【０１１５】
Ｉ．第１のネットワークデバイスとは、第１の端末にサービスを提供するＲＡＮデバイス、すなわち、第１のアクセスネットワークデバイスである。
【０１１６】
図６を参照する。
【０１１７】
１．（例えば、ソースＲＡＮデバイスと称される）第１のネットワークデバイスは、ダイレクトルーティング（ＤＲ）機能を有効にするように第１の端末に命令する。
【０１１８】
すなわち、本開示の本実施形態は、Ｐ２Ｐネットワークにおいてダイレクトルーティング機能を提供する。通信の両端にある端末、アクセスネットワークデバイス、およびコアネットワークデバイスが全て当該機能をサポートする場合、ダイレクトリンクは、その２つの端末の間で確立され得る。機能は、機能が用いられていないときに無効されてよく、これにより、デバイスの消費電力が低減され得る。機能は、機能が必要とされたとき、有効にされてよい。例えば、ソースＲＡＮデバイスは、機能を有効にするように第１の端末に命令してよい。
【０１１９】
もちろん、機能が有効に維持された、または有効にされている場合、段階１は実行されなくてよい。
【０１２０】
２．シグナリングチャネルがまず、第１の端末と第２の端末との間で確立され、そして、第１の端末は、シグナリングチャネルを用いることによって、第２の端末の位置情報を要求する。シグナリングチャネルの経路が、第１の端末→ソースＲＡＮデバイス→コアネットワークデバイス→ゲートウェイデバイス→サーバ→ゲートウェイデバイス→（例えば、ターゲットＲＡＮデバイスと称される）コアネットワークデバイス→第２の端末にサービスを提供するアクセスネットワークデバイス→第２の端末であってよい。すなわち、シグナリングチャネルの経路は、従来のＰ２Ｐサービスデータ伝送経路と同じである（例えば、背景技術の部分において説明されているものと同じである）。
【０１２１】
あるいは、第１の端末は、第１の端末とネットワーク側との間のシグナリングチャネルを用いることによって、第２の端末の位置情報を取得してよい。
【０１２２】
第２の端末の位置情報は、第２の端末にサービスを提供するアクセスネットワークデバイス（すなわち、第２のアクセスネットワークデバイス）の識別情報（ＩＤ）、および第２の端末にサービスを提供するセルのＩＤのうち少なくとも１つを含んでよい。
【０１２３】
３．第１の端末がダイレクトルーティング機能をサポートする場合、第１の端末は、第１の端末の位置情報をソースＲＡＮデバイスへ送信する。第１の端末が第２の端末の位置情報を取得した場合、第１の端末はさらに、第２の端末の位置情報をソースＲＡＮデバイスへ送信してよい。図６において、例えば、第１の端末は、第１の端末の位置情報および第２の端末の位置情報をソースＲＡＮデバイスへ送信する。
【０１２４】
４．ソースＲＡＮデバイスは、第１のルーティング情報を、（例えば、ターゲットＲＡＮデバイスと称される）第２のアクセスネットワークデバイスへ送信するか、または、ソースＲＡＮデバイスは、第１のルーティング情報を、ターゲットＲＡＮデバイスと第１のコアネットワークデバイスとへ送信する。図６において、例えば、ソースＲＡＮデバイスは、第１のルーティング情報をターゲットＲＡＮデバイスへ送信する。
【０１２５】
ソースＲＡＮデバイスは、ダイレクトリンクが第１の端末と第２の端末との間で確立され得るかを判定するように、まず、第１の端末の位置情報と第２の端末の位置情報とに従って判定を実行するか、または、ソースＲＡＮデバイスは、第１の端末の位置情報とこのＰ２ＰセッションのセッションＩＤとに従って判定を実行する。
【０１２６】
ソースＲＡＮデバイスが、第１の端末の位置情報とこのＰ２ＰセッションのセッションＩＤとに従って、判定を実行した場合、第１の端末は、第２の端末の位置情報を取得しなくてよく、または、たとえ第１の端末が第２の端末の位置情報を取得したとしても、第１の端末は、第２の端末の位置情報をソースＲＡＮデバイスへ送信しなくてよい。ソースＲＡＮデバイスは、このＰ２ＰセッションのセッションＩＤを直接取得し得る。
【０１２７】
例えば、ソースＲＡＮデバイスは、第１の端末の位置情報と第２の端末の位置情報に従って、または第１の端末の位置情報とこのＰ２ＰセッションのセッションＩＤとに従って、第１の端末および第２の端末の両方がダイレクトルーティング機能をサポートするかを判定してよい。両方ともダイレクトルーティング機能をサポートする場合、ダイレクトリンクが確立され得る。ソースＲＡＮデバイスは、第１の端末の位置情報と第２の端末の位置情報とに従って、または、第１の端末の位置情報とこのＰ２ＰセッションのセッションＩＤとに従って、第１の端末にサービスを提供するアクセスネットワークデバイス（すなわち、第１のアクセスネットワークデバイス）と、第２の端末にサービスを提供するアクセスネットワークデバイス（すなわち、第２のアクセスネットワークデバイス）との間の距離がダイレクトリンクの確立をサポートするかを判定してよい。距離がダイレクトリンクの確立をサポートする場合、ダイレクトリンクは確立され得る。ソースＲＡＮデバイスは、第１の端末の位置情報と第２の端末の位置情報とに従って、または第１の端末の位置情報とこのＰ２ＰセッションのセッションＩＤとに従って、第１のアクセスネットワークデバイスと第２のアクセスネットワークデバイスとの間に通信インターフェース（例えば、Ｘ２インターフェース）が存在するかを判定してよい。通信インターフェースが存在する場合、ダイレクトリンクは確立され得る。本開示の本実施形態において、判定方式は限定されない。
【０１２８】
例えば、ソースＲＡＮデバイスが、ダイレクトリンクが第１の端末と第２の端末との間で確立され得ると判定した場合、ソースＲＡＮデバイスは、第１のルーティング情報を取得してよく、第１のルーティング情報に従って第１のアクセスネットワークデバイスを設定してよい。
【０１２９】
ソースＲＡＮデバイスが判定を実行したとき、ソースＲＡＮデバイスは、いくつかの方式において第１のルーティング情報を取得してよい。以下では、例を用いて説明を提供する。
【０１３０】
方式１：ソースＲＡＮデバイスは、第１の端末の位置情報と第２の端末の位置情報とに従って、または、第１の端末の位置情報とこのＰ２ＰセッションのセッションＩＤとに従って、第１のルーティング情報を直接生成する。
【０１３１】
方式２：ソースＲＡＮデバイスは、ダイレクトルーティング要求メッセージを第２のコアネットワークデバイス（例えば、ＭＭＥ）へ送信する。例えば、ダイレクトルーティング要求メッセージは、第１のダイレクトルーティング要求メッセージと称され、第１のダイレクトルーティング要求メッセージは、第１のルーティング情報を割り当てるようにＭＭＥに命令するために用いられる。そして、第１のダイレクトルーティング要求メッセージを受信した後に、ＭＭＥは、第１のルーティング情報を割り当て、第１のルーティング情報をソースＲＡＮデバイスとターゲットＲＡＮデバイスとへ送信してよく、または、第１のルーティング情報をソースＲＡＮデバイスと、ターゲットＲＡＮデバイスと、第１のコアネットワークデバイス（例えば、Ｓ−ＧＷ）とへ送信してよい。すなわち、この場合、ソースＲＡＮデバイスは、第１のダイレクトルーティング要求メッセージをＭＭＥへ送信し、そして、ＭＭＥからの第１のルーティング情報を受信することのみが必要であり、第１のルーティング情報は、ＭＭＥによって、対応するデバイスへ送信される。この場合、次の段階は必要とされない。
【０１３２】
第１のルーティング情報を受信した後に、ターゲットＲＡＮデバイスは、第１のルーティング情報に従って、ターゲットＲＡＮデバイスを設定してよい。このように、第１の端末と第２の端末との間のダイレクトリンクは確立される。ダイレクトリンクの経路が、第１の端末→ソースＲＡＮデバイス→ターゲットＲＡＮデバイス→第２の端末である。
【０１３３】
ターゲットＲＡＮデバイスに加えて、Ｓ−ＧＷは、第１のルーティング情報を受信してよい。このように、ターゲットＲＡＮデバイスは、第１のルーティング情報に従ってターゲットＲＡＮデバイスを設定してよく、Ｓ−ＧＷは、第１のルーティング情報に従ってＳ−ＧＷを設定してよく、これにより、第１の端末と第２の端末との間のダイレクトリンクを確立する。ダイレクトリンクの経路が、第１の端末→ソースＲＡＮデバイス→Ｓ−ＧＷ→ターゲットＲＡＮデバイス→第２の端末である。
【０１３４】
明らかに、経路のどちらかが従来技術の伝送経路（または、従来の経路と称される）より短い。
【０１３５】
任意選択に、ソースＲＡＮデバイスが第１のルーティング情報を生成して送信する場合、ソースＲＡＮデバイスは、２つの異なる方式で第１のルーティング情報をターゲットＲＡＮデバイスへ送信してよい。
【０１３６】
方式１；ソースＲＡＮデバイスは、第１のルーティング情報をターゲットＲＡＮデバイスへ直接送信する。
【０１３７】
方式２：ソースＲＡＮデバイスは、第１のルーティング情報を第２のコアネットワークデバイス、例えば、ＭＭＥへ送信し、そして、ＭＭＥは、第１のルーティング情報をターゲットＲＡＮデバイスへ送信する。
【０１３８】
５．ソースＲＡＮデバイスは、第１の通知メッセージをＭＭＥへ送信する。第１の通知メッセージは、第１の端末と第２の端末との間で確立されたダイレクトリンクを示すために用いられる。
【０１３９】
ダイレクトリンクが第１の端末と第２の端末との間で確立され得ると判定した後に、または、第１のルーティング情報が第１のアクセスネットワークデバイスと第２のアクセスネットワークデバイスとへ別々に送信された後に、ソースＲＡＮは、ＭＭＥに、第１の端末と第２の端末との間で確立されたダイレクトリンクについての情報を通知してよい。
【０１４０】
ＩＩ．第１のネットワークデバイスが、第２のコアネットワークデバイスである。
【０１４１】
図７を参照する。
【０１４２】
図７の段階１から段階３は、図６のそれらと同様である。詳細を再び説明しない。以下では主に、図６の段階と異なる段階を説明する。
【０１４３】
４．ソースＲＡＮデバイスは、（例えば、第１の端末の位置情報および第２の端末の位置情報のうち少なくとも１つを含む）第１の端末によって送信された情報を、第２のコアネットワークデバイス、例えば、ＭＭＥへ送信する。
【０１４４】
ソースＲＡＮデバイスはまず、第１の端末によって送信された第１の端末の位置情報および第２の端末の位置情報のうち少なくとも１つを受信し、そして、ソースＲＡＮデバイスは、情報をＭＭＥへ直接送信してよい。ＭＭＥは、ダイレクトリンクが第１の端末と第２の端末との間で確立され得るかを判定し、ダイレクトリンクが確立され得るとき、第１のルーティング情報を取得する。この実装方式において、判定処理は、ＭＭＥによって実行される。すなわち、ＭＭＥは、第１の端末の位置情報および第２の端末の位置情報のうち少なくとも１つを受信した後に、まず判定を実行する必要がある。ダイレクトリンクが第１の端末と第２の端末との間で確立され得ると判定した場合、ＭＭＥは、第１のルーティング情報を取得する。ダイレクトリンクが第１の端末と第２の端末との間で確立できないと判定した場合、ＭＭＥは、第１のルーティング情報を取得せず、例えば、第１の端末および第２の端末のために従来のリンクを確立してよい。従来のリンクの確立方式については、先行技術を参照されたい。本開示の本実施形態において、詳細を説明しない。
【０１４５】
５．ＭＭＥは、第１のルーティング情報を、ソースＲＡＮデバイスとターゲットＲＡＮデバイスとへ別々に送信する（このことは、図７において例として用いられる）か、または、第１のルーティング情報を、ソースＲＡＮデバイスと、ターゲットＲＡＮデバイスと、Ｓ−ＧＷとへ別々に送信してよい。
【０１４６】
ＭＭＥは、ダイレクトリンクが第１の端末と第２の端末との間で確立され得るか判定するように、まず、第１の端末によって送信された情報に従って判定を実行する。
【０１４７】
ＭＭＥの判定方式については、図６のソースＲＡＮの判定方式を参照されたい。詳細を再び説明しない。
【０１４８】
例えば、ＭＭＥが、ダイレクトリンクが第１の端末と第２の端末との間で確立され得ると判定した場合、ＭＭＥは、第１のルーティング情報を取得してよく、第１のルーティング情報をソースＲＡＮデバイスとターゲットＲＡＮデバイスとへ別々に送信してよく、または、第１のルーティング情報を、ソースＲＡＮデバイスと、ターゲットＲＡＮデバイスと、Ｓ−ＧＷとを別々に送信してよい。このように、ソースＲＡＮデバイスおよびターゲットＲＡＮデバイスは、第１のルーティング情報に従って自己設定を別々に実行してよく、または、ソースＲＡＮデバイス、ターゲットＲＡＮデバイス、およびＳ−ＧＷは、第１のルーティング情報に従って、自己設定を別々に実行してよい。
【０１４９】
先述では、２つの可能なダイレクトリンク確立処理を説明している。ダイレクトリンクの使用が完了した後に、またはネットワークにトラブルが発生したとき、確立されているダイレクトリンクを削除する必要があり得る。以下では、ダイレクトリンク削除方法を説明する。
【０１５０】
ダイレクトリンク確立がアクセスネットワークデバイス（図６を参照する）によって判定された場合、すなわち、第１のネットワークデバイスが第１のアクセスネットワークデバイスである場合、ダイレクトリンク削除は、第１のアクセスネットワークデバイスによって判定されてよい。あるいは、ダイレクトリンク確立がコアネットワークデバイス（図７を参照）によって判定された場合、すなわち、第１のネットワークデバイスが第２のコアネットワークデバイスである場合、ダイレクトリンク削除は、第２のコアネットワークデバイスによって判定されてよい。以下では、説明を別々に提供する。
【０１５１】
Ｉ．第１のネットワークデバイスがソースＲＡＮデバイス、すなわち、第１のアクセスネットワークデバイスである。
【０１５２】
図８を参照する。
【０１５３】
１．第１の端末がソースＲＡＮデバイスに通知を与える（例えば、第１の端末は、第２の接続解除メッセージをソースＲＡＮデバイスへ送信する）。第２の接続解除メッセージは、このＰ２Ｐセッション処理が終了したことを示すために用いられる。そして、ソースＲＡＮデバイスは、このＰ２Ｐセッションが終了したと判定してよい。
【０１５４】
図８において、例えば、第１の端末は、このＰ２Ｐセッションが終了した後に、第２の接続解除メッセージをソースＲＡＮデバイスへ送信してよい。あるいは、第１の端末または別のデバイスは、ネットワークの状態が変わった（例えば、ネットワークに適用可能なダイレクトリンクもう存在しない）とき、第２の接続解除メッセージをソースＲＡＮデバイスへ送信してよい。
【０１５５】
２．ダイレクトリンクの経路が、第１の端末→ソースＲＡＮデバイス→ターゲットＲＡＮデバイス→第２の端末である場合、ソースＲＡＮデバイスは、第１の接続解除メッセージを第２のアクセスネットワークデバイス（例えば、ターゲットＲＡＮデバイス）へ送信する（このことは、図８において例として用いられる）。第１の接続解除メッセージは、このＰ２Ｐセッションのリソースおよびダイレクトリンクのリソースを解除するようにターゲットＲＡＮデバイスに命令するために用いられる。あるいは、ダイレクトリンクの経路が、第１の端末→ソースＲＡＮデバイス→第１のコアネットワークデバイス（例えば、Ｓ−ＧＷ）→ターゲットＲＡＮデバイス→第２の端末である場合、ソースＲＡＮデバイスは、第１の接続解除メッセージをターゲットＲＡＮデバイスとＳ−ＧＷとへ別々に送信する。第１の接続解除メッセージは、このＰ２Ｐセッションのリソースおよびダイレクトリンクのリソースを解除するようにターゲットＲＡＮデバイスおよびＳ−ＧＷに命令するために用いられる。
【０１５６】
ソースＲＡＮデバイスは、２つの方式で第１の接続解除メッセージをターゲットＲＡＮデバイスへ送信してよい。
【０１５７】
方式１：ソースＲＡＮデバイスは、第１の接続解除メッセージをターゲットＲＡＮデバイスへ直接送信する。
【０１５８】
方式２：ソースＲＡＮデバイスは、第１の接続解除メッセージをＭＭＥへ送信し、ＭＭＥは、第１の接続解除メッセージをターゲットＲＡＮデバイスへ送信する。
【０１５９】
３．ソースＲＡＮデバイスは、第２の通知メッセージをＭＭＥへ送信する。第２の通知メッセージは、第１の端末と第２の端末との間のダイレクトリンクが削除されたことを示すために用いられる。
【０１６０】
ＩＩ．第１のネットワークデバイスが第２のコアネットワークデバイス、例えば、ＭＭＥである。
【０１６１】
図９を参照する。
【０１６２】
１．第１の端末またはソースＲＡＮデバイスが、サービスが終了したと判定し、ソースＲＡＮデバイスは、第２の接続解除メッセージをＭＭＥへ送信する。第１の端末が、第２の接続解除メッセージをＭＭＥへ送信する必要がある場合、第１の端末は、第２の接続解除メッセージをソースＲＡＮへ送信してよい。
【０１６３】
２．ＭＭＥは、第２の接続解除メッセージに対応するダイレクトリンクを判定し、これにより、ダイレクトリンクに対応するデバイスを判定する。例えば、ダイレクトリンクに対応するデバイスは、ソースＲＡＮデバイスおよびターゲットＲＡＮデバイスを含んでよく（このことは、図９において例として用いられる）、または、ソースＲＡＮデバイス、ターゲットＲＡＮデバイス、およびＳ−ＧＷを含んでよい。そして、コアネットワークデバイスは、第１の接続解除メッセージをソースＲＡＮデバイスとターゲットＲＡＮデバイスとへ別々に送信し（このことは、図９において例として用いられる）、第１の接続解除メッセージは、このセッションのリソースおよびダイレクトリンクのリソースを解除するようにソースＲＡＮデバイスおよびターゲットＲＡＮデバイスに命令するために用いられる。あるいは、コアネットワークデバイスは、第１の接続解除メッセージをソースＲＡＮデバイスと、ターゲットＲＡＮデバイスと、Ｓ−ＧＷとへ別々に送信し、第１の接続解除メッセージは、このセッションのリソースおよびダイレクトリンクのリソースを解除するようにソースＲＡＮデバイスと、ターゲットＲＡＮデバイスと、Ｓ−ＧＷとに命令するために用いられる。
【０１６４】
３．第１の接続解除メッセージを受信した後に、対応するデバイス（例えば、対応するデバイスは、ソースＲＡＮデバイスおよびターゲットＲＡＮデバイスを含み、または、ソースＲＡＮデバイス、ターゲットＲＡＮデバイス、およびＳ−ＧＷを含んでよい）は、このセッションのリソースおよびダイレクトリンクのリソースを解除してよい。
【０１６５】
任意選択に、ダイレクトリンクが確立された後に、ダイレクトリンク削除に加えて、ダイレクトリンクのハンドオーバを実行する必要があり得る。例えば、通信の両端にある端末のうち少なくとも１つの位置が変わった場合、ダイレクトリンクのハンドオーバは、実行され得る。以下では、リンクのハンドオーバ処理を説明する。
【０１６６】
ダイレクトリンクの確立がアクセスネットワークデバイス（図６を参照）によって判定された場合、すなわち、第１のネットワークデバイスが第１のアクセスネットワークデバイスである場合、ダイレクトリンクのハンドオーバは、第１のアクセスネットワークデバイスによって判定されてよい。あるいは、ダイレクトリンクの確立がコアネットワークデバイスによって判定された場合（図７を参照）、すなわち、第１のネットワークデバイスが第２のコアネットワークデバイスである場合、ダイレクトリンクのハンドオーバは、第２のコアネットワークデバイスによって判定されてよい。以下では、説明を別々に提供する。
【０１６７】
Ｉ．第１のネットワークデバイスがソースＲＡＮデバイス、すなわち、第１のアクセスネットワークデバイスである。
【０１６８】
図１０を参照する。図１０において、例えば、第１の端末はアクセスネットワークへハンドオーバされる予定である。実際の応用中に、第２の端末がハンドオーバされてよい。第２の端末をハンドオーバする処理方式について、第１の端末をハンドオーバする以下の方式を参照されたい。
【０１６９】
１．ソースＲＡＮデバイスが、ダイレクトリンクを用いることによって第２の端末と通信している第１の端末をアクセスネットワークデバイスにわたってハンドオーバする必要があると判定した場合、ソースＲＡＮデバイスは、ハンドオーバ要求を第３のアクセスネットワークデバイスへ送信する。ハンドオーバ要求は、第２の端末の位置情報および第１のルーティング情報のうち少なくとも１つを保持する。第３のアクセスネットワークデバイスは、第１の端末が要求するハンドオーバ先であるアクセスネットワークデバイスである。
【０１７０】
端末がアクセスネットワークデバイスへハンドオーバされる必要があるとき、端末は、測定報告を、現在、端末によってアクセスされているアクセスネットワークデバイスへ送信してよい。測定報告は、アクセスネットワークデバイスへのハンドオーバの要求と、端末のハンドオーバ先であるセルの情報、例えば、セルのＩＤとを保持してよい。この場合、第１の端末からの測定報告を受信した後に、ソースＲＡＮデバイスは、第１の端末がアクセスネットワークデバイスへハンドオーバされる予定であることを認識する。
【０１７１】
２．第３のアクセスネットワークデバイスは、第３のアクセスネットワークデバイスへハンドオーバされた後に第１の端末がダイレクトリンクを用いることによって第２の端末と通信し続けると判定する。
【０１７２】
第３のアクセスネットワークデバイスは、第３のアクセスネットワークデバイスへハンドオーバされる第１の端末の位置情報、第２の端末の位置情報、および第１のルーティング情報のうち少なくとも１つに従って、第３のアクセスネットワークデバイスへハンドオーバされた後に第１の端末がダイレクトリンクを用いることによって第２の端末と通信し続けるか、または第１の端末が従来のリンクを回復することによって第２の端末と通信するかを判定する。
【０１７３】
例えば、第１の端末は、ソースＲＡＮデバイスから第３のアクセスネットワークデバイスへハンドオーバされる必要がある。ソースＲＡＮデバイスが第３のアクセスネットワークデバイスから遠く離れている場合、または、ソースＲＡＮデバイスと第３のアクセスネットワークデバイスとの間に相互接続用のインターフェースが存在しない場合、第１の端末および第２の端末は、ダイレクトリンクを用いることによって互いに通信することがもうできなくなり、従来のリンクを回復する必要がある。
【０１７４】
第１の端末および第２の端末のために従来のリンクを回復する必要がある場合、従来のリンクの再確立方式について、先行技術を参照されたい。本開示の本実施形態において、詳細を説明しない。
【０１７５】
図１０において、例えば、第３のアクセスネットワークデバイスへハンドオーバされた後に、第１の端末がダイレクトリンクを用いることによって第２の端末と通信し続け得ると判定される。
【０１７６】
３．第３のアクセスネットワークデバイスは、第２のルーティング情報をターゲットＲＡＮデバイス（すなわち、第２のアクセスネットワークデバイス）へ送信し、これにより、第１の端末と第２の端末との間で新たなダイレクトリンクを確立する（このことは、図１０において例として用いられる）。あるいは、第３のアクセスネットワークデバイスは、第２のルーティング情報をターゲットＲＡＮデバイスとＳ−ＧＷとへ別々に送信し、これにより、第１の端末と第２の端末との間で新たなダイレクトリンクを確立する。
【０１７７】
第２のルーティング情報が送信されたデバイスは、ダイレクトリンクの経路に依存する。
【０１７８】
図１０において、例えば、第３のアクセスネットワークデバイスは、第１の端末および第２の端末が、ダイレクトリンクを用いることによって互いに通信し続け得ると判定する。そして、第３のアクセスネットワークデバイスは、ハンドオーバされた第１の端末の位置情報、第２の端末の位置情報、および第１のルーティング情報のうち少なくとも１つに従って、第２のルーティング情報を取得してよい。第２のルーティング情報は、第２の端末と、第３のアクセスネットワークデバイスへハンドオーバされた第１の端末との間のダイレクトリンクのルーティング情報である。
【０１７９】
任意選択に、第１の端末および第２の端末がダイレクトリンクを用いることによって互いに通信し続け得ると判定した後に、第３のアクセスネットワークデバイスは、異なる方式で第２のルーティング情報を取得してよい。以下では、例を用いて説明を提供する。
【０１８０】
方式１：第３のアクセスネットワークデバイスは、ハンドオーバされた第１の端末の位置情報、第２の端末の位置情報、および第１のルーティング情報のうち少なくとも１つに従って、第２のルーティング情報を直接生成する。
【０１８１】
方式２：第３のアクセスネットワークデバイスは、ダイレクトルーティング要求メッセージを第２のコアネットワークデバイス（例えば、ＭＭＥ）へ送信する。例えば、ダイレクトルーティング要求メッセージは、第２のダイレクトルーティング要求メッセージと称され、第２のダイレクトルーティング要求メッセージは、第２のルーティング情報を割り当てるようにＭＭＥに命令するために用いられる。そして、第２のダイレクトルーティング要求メッセージを受信した後に、ＭＭＥは、第２のルーティング情報を割り当て、第２のルーティング情報を、第３のアクセスネットワークデバイスとターゲットＲＡＮデバイスとへ送信してよく、または、第２のルーティング情報を、第３のアクセスネットワークデバイスと、ターゲットＲＡＮデバイスと、第１のコアネットワークデバイス（例えば、Ｓ−ＧＷ）とへ送信してよい。すなわち、この場合、第３のアクセスネットワークデバイスは、第２のダイレクトルーティング要求メッセージをＭＭＥへ送信し、そして、ＭＭＥからの第２のルーティング情報を受信することのみが必要であり、第２のルーティング情報は、ＭＭＥによって、対応するデバイスへ送信される。この場合、次の段階は必要とされない。
【０１８２】
任意選択に、第３のアクセスネットワークデバイスが第２のルーティング情報を生成して送信する場合、第３のアクセスネットワークデバイスは、２つの方式で第２のルーティング情報をターゲットＲＡＮデバイスへ送信してよい。
【０１８３】
方式１：第３のアクセスネットワークデバイスは、第２のルーティング情報をターゲットＲＡＮデバイスへ直接送信する。
【０１８４】
方式２：第３のアクセスネットワークデバイスは、第２のルーティング情報をＭＭＥへ送信し、ＭＭＥは、第２のルーティング情報をターゲットＲＡＮデバイスへ送信する。
【０１８５】
加えて、第３のアクセスネットワークデバイスが第２のルーティング情報を生成して送信する場合、第３のアクセスネットワークデバイスはさらに、ＭＭＥに、新たなダイレクトリンクが第１の端末と第２の端末との間で確立されたことを通知してよく、確立された新たなダイレクトリンクは、第２のルーティング情報に対応している（この段階は、図１０に図示されていない）。
【０１８６】
４．ターゲットＲＡＮデバイスが第２のルーティング情報を受信した後、このことは新たなＤＲ設定情報を取得したことに相当し、ターゲットＲＡＮデバイスは、第２のルーティング情報に従ってターゲットＲＡＮデバイスを設定してよい。
【０１８７】
任意選択に、Ｓ−ＧＷも第２のルーティング情報を受信した場合、Ｓ−ＧＷが第２のルーティング情報を受信した後、このことは新たなＤＲ設定情報を取得したことに相当し、Ｓ−ＧＷは、第２のルーティング情報に従ってＳ−ＧＷを設定してよい。この段階および段階４は、ランダムな順序で実行されてよい。この段階は、図１０に図示されていない。
【０１８８】
このように、第３のアクセスネットワークデバイスへハンドオーバされた後に、第１の端末は、第２のルーティング情報に対応する新たなダイレクトリンクを用いることによって、第２の端末と通信し続けてよい。
【０１８９】
ＩＩ．第１のネットワークデバイスが第２のコアネットワークデバイス、例えば、ＭＭＥである。
【０１９０】
図１１を参照する。図１１において、依然として、例えば、第１の端末がハンドオーバされる予定である。実際の応用中に、第２の端末がハンドオーバされてよい。第２の端末をハンドオーバする処理方式について、第１の端末をハンドオーバする以下の方式を参照する。
【０１９１】
１．ソースＲＡＮデバイスが、ダイレクトリンクを用いることによって第２の端末と通信している第１の端末がアクセスネットワークデバイスにわたってハンドオーバされる必要があると判定した場合、ソースＲＡＮデバイスは、第２の通知メッセージをＭＭＥへ送信する。第２の通知メッセージは、第１の端末が第３のアクセスネットワークデバイスへハンドオーバされる予定であることを示すために用いられ、第２の通知メッセージは、第２の端末の位置情報および第１のルーティング情報のうち少なくとも１つを保持してよい。第１の端末は、第３のアクセスネットワークデバイスへハンドオーバされることを要求する。
【０１９２】
２．ＭＭＥは、第１の端末および第２の端末がダイレクトリンクを用いることによって互いに通信し続け得ると判定する。
【０１９３】
ＭＭＥは、第３のアクセスネットワークデバイスへハンドオーバされた第１の端末の位置情報、第２の端末の位置情報、および第１のルーティング情報のうち少なくとも１つに従って、第１の端末および第２の端末がダイレクトリンクを用いることによって互いに通信し続けるか、または、従来のリンクを回復することによって互いに通信するかを判定する。判定方式については、図１０の説明を参照されたい。
【０１９４】
第１の端末および第２の端末のために従来のリンクを回復する必要がある場合、従来のリンクの再確立方式については先行技術を参照されたい。本開示の本実施形態において、詳細を説明しない。
【０１９５】
図１１において、例えば、第１の端末および第２の端末が、ダイレクトリンクを用いることによって互いに通信し続け得ると判定される。
【０１９６】
３．ＭＭＥは、第２のルーティング情報を第３のアクセスネットワークデバイスとターゲットＲＡＮデバイス（すなわち、第２のアクセスネットワークデバイス）とへ別々に送信し、これにより、第１の端末と第２の端末との間で新たなダイレクトリンクを確立する（このことは、図１１において例として用いられる）。あるいは、ＭＭＥは、第２のルーティング情報を第３のアクセスネットワークデバイスとターゲットＲＡＮデバイスとＳ−ＧＷとへ別々に送信し、これにより、第１の端末と第２の端末との間で新たなダイレクトリンクを確立する。
【０１９７】
図１１において、例えば、第１のネットワークデバイスは、第１の端末および第２の端末がダイレクトリンクを用いることによって互いに通信し続け得ると判定する。そして、ＭＭＥは、ハンドオーバされた第１の端末の位置情報、第２の端末の位置情報、および第１のルーティング情報のうち少なくとも１つに従って、第２のルーティング情報を取得してよい。第２のルーティング情報は、第２の端末と、第３のアクセスネットワークデバイスへハンドオーバされた第１の端末との間のダイレクトリンクのルーティング情報である。
【０１９８】
４．ターゲットＲＡＮデバイスが第２のルーティング情報を受信した後、このことは、新たなＤＲ設定情報を取得したことに相当し、ターゲットＲＡＮデバイスは、第２のルーティング情報に従って、ターゲットＲＡＮデバイスを設定してよい。
【０１９９】
５．第３のアクセスネットワークデバイスが第２のルーティング情報を受信した後、このことは新たなＤＲ設定情報を取得したことに相当し、第３のアクセスネットワークデバイスは、第２のルーティング情報に従って、第３のアクセスネットワークデバイスを設定してよい。段階４および段階５は、ランダムな順序で実行されてよい。
【０２００】
ＭＭＥがさらに第２のルーティング情報をＳ−ＧＷへ送信した場合、Ｓ−ＧＷが第２のルーティング情報を受信した後、このことは新たなＤＲ設定情報を取得したことに相当し、Ｓ−ＧＷは、第２のルーティング情報に従ってＳ−ＧＷを設定してよい。同様に、この段階、段階４、および段階５は、ランダムな順序で実行されてよい。この段階は、図１１に図示されていない。
【０２０１】
このように、第３のアクセスネットワークデバイスへハンドオーバされた後に、第１の端末は、第２のルーティング情報に対応する新たなダイレクトリンクを用いることによって、第２の端末と通信し続け得る。
【０２０２】
本開示の本実施形態において、ネットワークデバイスは、端末により報告された（例えば、端末の位置情報を含む）補助情報に従って、通信の両端にある２つの端末の間で比較的最適なルーティング経路を判定して、これにより、その２つの端末の間のダイレクトリンクを確立し得る。従って、サービスの伝送遅延が短縮され得て、伝送リソースが節約され得る。
【０２０３】
以下では、添付図面を参照して本開示の実施形態におけるデバイスを説明する。
【０２０４】
図１２Ａを参照すると、同じ開示概念に基づき、本開示の実施形態は、ネットワークデバイスを提供する。ネットワークデバイスは、先述の方法の実施形態において説明されている第１のネットワークデバイスであってよく、ネットワークデバイスは、メモリ１２０１とプロセッサ１２０２とを備えてよい。
【０２０５】
プロセッサ１２０２は、中央処理装置（ＣＰＵ）、または特定用途向け集積回路（ＡＳＩＣ）であってよく、プログラムの実行を制御するように構成される１つ又は複数の集積回路であってよく、フィールドプログラマブルゲートアレイ（ＦＰＧＡ）を用いて開発されたハードウェア回路であってよく、または、ベースバンドチップであってよい。
【０２０６】
１つ又は複数のメモリ１２０１が存在してよい。メモリ１２０１は、リードオンリメモリ（ＲＯＭ）、ランダムアクセスメモリ（ＲＡＭ）、または磁気ディスク記憶装置であってよい。
【０２０７】
任意選択に、ネットワークデバイスが先述の第１のアクセスネットワークデバイスまたは先述の第２のコアネットワークデバイスであるかに関わらず、図１２Ｂを参照すると、ネットワークデバイスはさらに、トランスミッタ１２０３と受信機１２０４とを備えてよい。
【０２０８】
トランスミッタ１２０３および受信機１２０４は、無線周波数システムに属してよく、外部デバイスとネットワーク通信を実行するように構成されてよい。具体的には、イーサネット（登録商標）、無線アクセスネットワーク、または無線ローカルエリアネットワークなどのネットワークを用いることによって、外部デバイスと通信してよい。トランスミッタ１２０３および受信機１２０４は、同じエンティティモジュールであってよく、例えば、送信および受信機能を実装し得るエンティティモジュールであってよい。例えば、エンティティモジュールは、トランシーバと称されてよい。あるいは、トランスミッタ１２０３および受信機１２０４は、別個のエンティティモジュールであってよい。
【０２０９】
メモリ１２０１、トランスミッタ１２０３、および受信機１２０４は、バスを用いることによってプロセッサ１２０２と接続されてよく（このことは、図１２Ａおよび図１２Ｂにおいて例として用いられる）、または、専用の接続ケーブルを用いることによってプロセッサ１２０２と別々に接続してよい。
【０２１０】
先述の方法に対応するコードがプロセッサ１２０２に対して設計プログラミングを行うことによってチップに組み込まれ、これにより、動作しているとき、チップは、図２および図６から図１１において示されている方法を実行し得る。どのようにプロセッサ１２０２に対して設計プログラミングを行うかは、当業者にとっては周知技術であり、ここでは詳細を説明しない。
【０２１１】
ネットワークデバイスは、図２および図６から図１１において示されている方法を実行するように構成されてよく、例えば、先述の第１のネットワークデバイスであってよい。従って、ネットワークデバイスの各ユニットによって実装された機能および同様のものについては、先述の方法の説明を参照されたく、ここでは詳細を再び説明しない。
【０２１２】
図１３Ａを参照すると、同じ開示概念に基づき、本開示の実施形態は、コアネットワークデバイスを提供する。コアネットワークデバイスは、メモリ１３０１と、プロセッサ１３０２と、受信機１３０３とを備えてよい。
【０２１３】
プロセッサ１３０２は、ＣＰＵまたはＡＳＩＣであってよく、プログラムの実行を制御するように構成される１つ又は複数の集積回路であってよく、ＦＰＧＡを用いて開発されたハードウェア回路であってよく、またはベースバンドチップであってよい。
【０２１４】
１つ又は複数のメモリ１３０１が存在してよい。メモリ１３０１は、ＲＯＭ、ＲＡＭ、または磁気ディスク記憶装置であってよい。
【０２１５】
任意選択に、図１３Ｂを参照すると、コアネットワークデバイスはさらに、トランスミッタ１３０４を備えてよい。
【０２１６】
トランスミッタ１３０４および受信機１３０３は、無線周波数システムに属してよく、外部デバイスとネットワーク通信を実行するように構成されてよい。具体的には、イーサネット（登録商標）、無線アクセスネットワーク、または無線ローカルエリアネットワークなどのネットワークを用いることによって外部デバイスと通信してよい。トランスミッタ１３０４および受信機１３０３は、同じエンティティモジュールであってよく、例えば、送信および受信機能を実装し得るエンティティモジュールであってよい。例えば、エンティティモジュールは、トランシーバと称されてよい。あるいは、トランスミッタ１３０４および受信機１３０３は、別個のエンティティモジュールであってよい。
【０２１７】
メモリ１３０１、トランスミッタ１３０４、および受信機１３０３は、バスを用いることによってプロセッサ１３０２と接続されてよく（このことは、図１３Ａおよび図１３Ｂにおいて例として用いられる）、または、専用の接続ケーブルを用いることによってプロセッサ１３０２と別々に接続されてよい。
【０２１８】
先述の方法に対応するコードがプロセッサ１３０２に対して設計プログラミングを行うことによってチップに組み込まれ、これにより、動作しているとき、チップは、図４および図６から図１１において示されている方法を実行し得る。どのようにプロセッサ１３０２に対して設計プログラミングを行うかは、当業者にとっては周知技術であり、ここでは詳細を説明しない。
【０２１９】
コアネットワークデバイスは、図４および図６から図１１において示されている方法を実行するように構成されてよく、例えば、先述の第２のコアネットワークデバイスであってよい。従って、コアネットワークデバイスの各ユニットによって実装された機能および同様のものについては先述の方法の説明を参照されたく、ここでは詳細を再び説明しない。
【０２２０】
図１４Ａを参照すると、同じ開示概念に基づき、本開示の実施形態は、アクセスネットワークデバイスを提供する。アクセスネットワークデバイスは、メモリ１４０１と、プロセッサ１４０２と、受信機１４０３とを含んでよい。
【０２２１】
プロセッサ１４０２は、ＣＰＵまたはＡＳＩＣであってよく、プログラムの実行を制御するように構成される１つ又は複数の集積回路であってよく、ＦＰＧＡを用いて開発されたハードウェア回路であってよく、またはベースバンドチップであってよい。
【０２２２】
１つ又は複数のメモリ１４０１が存在してよい。メモリ１４０１は、ＲＯＭ、ＲＡＭ、または磁気ディスク記憶装置であってよい。
【０２２３】
任意選択に、図１４Ｂを参照すると、コアネットワークデバイスはさらに、トランスミッタ１４０４を備えてよい。
【０２２４】
トランスミッタ１４０４および受信機１４０３は、無線周波数システムに属してよく、外部デバイスとネットワーク通信を実行するように構成されてよい。具体的には、イーサネット（登録商標）、無線アクセスネットワーク、または無線ローカルエリアネットワークなどのネットワークを用いることによって外部デバイスと通信してよい。トランスミッタ１４０４および受信機１４０３は、同じエンティティモジュールであってよく、例えば、送信および受信機能を実装し得るエンティティモジュールであってよい。例えば、エンティティモジュールは、トランシーバと称されてよい。あるいは、トランスミッタ１４０４および受信機１４０３は、別個のエンティティモジュールであってよい。
【０２２５】
メモリ１４０１、トランスミッタ１４０４、および受信機１４０３は、バスを用いることによってプロセッサ１４０２と接続されてよく（このことは、図１４Ａおよび図１４Ｂにおいて例として用いられる）、または専用の接続ケーブルを用いることによってプロセッサ１４０２と別々に接続されてよい。
【０２２６】
先述の方法に対応するコードがプロセッサ１４０２に対して設計プログラミングを行うことによってチップに組み込まれ、これにより、動作しているとき、チップは、図５および図６から図１１において示されている方法を実行し得る。どのようにプロセッサ１４０２に対して設計プログラミングを行うかは、当業者にとっては周知技術であり、ここでは詳細を説明しない。
【０２２７】
アクセスネットワークデバイスは、図５および図６から図１１において示されている方法を実行するように構成されてよく、例えば、先述の第３のアクセスネットワークデバイスであってよい。従って、アクセスネットワークデバイスの各ユニットによって実装された機能および同様のものについては、先述の方法の説明を参照されたく、ここでは詳細を再び説明しない。
【０２２８】
図１５を参照すると、同じ開示概念に基づき、本開示の実施形態は、端末を提供する。端末は、メモリ１５０１と、プロセッサ１５０２と、トランスミッタ１５０３とを備えてよい。
【０２２９】
プロセッサ１５０２は、ＣＰＵまたはＡＳＩＣであってよく、プログラムの実行を制御するように構成される１つ又は複数の集積回路であってよく、ＦＰＧＡを用いて開発されたハードウェア回路であってよく、またはベースバンドチップであってよい。
【０２３０】
１つ又は複数のメモリ１５０１が存在してよい。メモリ１５０１は、ＲＯＭ、ＲＡＭ、または磁気ディスク記憶装置であってよい。
【０２３１】
トランスミッタ１５０３は、無線周波数システムに属してよく、外部デバイスとネットワーク通信を実行するように構成されてよい。具体的には、イーサネット（登録商標）、無線アクセスネットワーク、または無線ローカルエリアネットワークなどのネットワークを用いることによって外部デバイスと通信してよい。
【０２３２】
メモリ１５０１およびトランスミッタ１５０３は、バスを用いることによってプロセッサ１５０２と接続されてよく（このことは、図１５において例として用いられる）、または専用の接続ケーブルを用いることによってプロセッサ１５０２と別々に接続されてよい。
【０２３３】
先述の方法に対応するコードがプロセッサ１５０２に対して設計プログラミングを行うことによってチップに組み込まれ、これにより、動作しているとき、チップは、図３および図６から図１１において示されている方法を実行し得る。どのようにプロセッサ１５０２に対して設計プログラミングを行うかは、当業者にとっては周知技術であり、ここでは詳細を説明しない。
【０２３４】
端末は、図３および図６から図１１において示されている方法を実行するように構成されてよく、例えば、先述の第１の端末であってよい。従って、端末の各ユニットによって実装された機能および同様のものについては、先述の方法の説明を参照されたく、ここでは詳細を再び説明しない。
【０２３５】
図１６を参照すると、同じ開示概念に基づき、本開示の実施形態は、別のネットワークデバイスを提供する。ネットワークデバイスは、処理モジュール１６０１を備えてよい。任意選択に、また図１６を参照すると、ネットワークデバイスはさらに、送信モジュール１６０２と受信モジュール１６０３とを備えてよい。
【０２３６】
実際の応用中に、処理モジュール１６０１に対応するエンティティデバイスは、図１２Ａおよび図１２Ｂのプロセッサ１２０２であってよく、受信モジュール１６０３に対応するエンティティデバイスは、図１２Ｂの受信機１６０４であってよく、送信モジュール１６０２に対応するエンティティデバイスは、図１２Ｂのトランスミッタ１６０３であってよい。
【０２３７】
ネットワークデバイスは、図２および図６から図１１において示されている方法を実行するように構成されてよく、例えば、ネットワークデバイスは、第１のネットワークデバイスであってよい。従って、ネットワークデバイスの各ユニットによって実装された機能および同様のものについては、先述の方法の説明を参照されたく、ここでは、詳細を再び説明しない。
【０２３８】
図１７を参照すると、同じ開示概念に基づき、本開示の実施形態は、別のコアネットワークデバイスを提供する。コアネットワークデバイスは、受信モジュール１７０１および処理モジュール１７０２を備えてよい。任意選択に、また図１７を参照すると、コアネットワークデバイスはさらに、送信モジュール１７０３を備えてよい。
【０２３９】
実際の応用中に、処理モジュール１７０２に対応するエンティティデバイスは、図１３Ａおよび図１３Ｂのプロセッサ１３０２であってよく、受信モジュール１７０１に対応するエンティティデバイスは、図１３Ａおよび図１３Ｂの受信機１３０３であってよく、送信モジュール１７０３に対応するエンティティデバイスは、図１３Ｂのトランスミッタ１３０４であってよい。
【０２４０】
コアネットワークデバイスは、図４および図６から図１１において示されている方法を実行するために構成されてよく、例えば、コアネットワークデバイスは、第２のコアネットワークデバイスであってよい。従って、コアネットワークデバイスの各ユニットによって実装された機能および同様のものは、先述の方法の説明を参照されたく、ここでは詳細を再び説明しない。
【０２４１】
図１８を参照すると、同じ開示概念に基づき、本開示の実施形態は、別のアクセスネットワークデバイスを提供する。アクセスネットワークデバイスは、受信モジュール１８０１および処理モジュール１８０２を備えてよい。任意選択に、また図１８を参照すると、アクセスネットワークデバイスはさらに、送信モジュール１８０３を備えてよい。
【０２４２】
実際の応用中に、処理モジュール１８０２に対応するエンティティデバイスは、図１４Ａおよび図１４Ｂのプロセッサ１４０２であってよく、受信モジュール１８０１に対応するエンティティデバイスは、図１４Ａおよび図１４Ｂの受信機１４０３であってよく、送信モジュール１８０３に対応するエンティティデバイスは、図１４Ｂのトランスミッタ１４０４であってよい。
【０２４３】
アクセスネットワークデバイスは、図５および図６から図１１において示されている方法を実行するように構成されてよく、例えば、アクセスネットワークデバイスは、第３のアクセスネットワークデバイスであってよい。従って、アクセスネットワークデバイスの各ユニットによって実装された機能および同様のものについては、先述の方法の説明を参照されたく、ここでは詳細を再び説明しない。
【０２４４】
図１９を参照すると、同じ開示概念に基づき、本開示の実施形態は、別の端末を提供する。端末は、送信モジュール１９０１および処理モジュール１９０２を備えてよい。
【０２４５】
実際の応用中に、処理モジュール１９０２に対応するエンティティデバイスは、図１５のプロセッサ１５０２であってよく、送信モジュール１９０１に対応するエンティティデバイスは、図１５のトランスミッタ１５０３であってよい。
【０２４６】
端末は、図３および図６から図１１において示されている方法を実行するように構成されてよい。例えば、端末は、第１の端末であってよい。従って、端末の各ユニットによって実装された機能および同様のものについては、先述の方法の説明を参照されたく、ここでは詳細を再び説明しない。
【０２４７】
本開示の実施形態において、第１のネットワークデバイスは、第１の端末と第２の端末との間で確立されたダイレクトリンクのルーティング情報（すなわち、第１のルーティング情報）を取得し得る。このように、２つの端末が互いに通信するとき、サービスデータ伝送経路が、第１の端末→第１のアクセスネットワークデバイス→第２のアクセスネットワークデバイス→第２の端末であってよく、または、第１の端末→第１のアクセスネットワークデバイス→第１のコアネットワークデバイス→第２のアクセスネットワークデバイス→第２の端末であってよい。経路のどちらかがより短い従来技術の伝送経路である。従って、伝送遅延が短縮され、伝送効率が向上し、伝送リソースが節約される。
【０２４８】
本開示において、開示されているデバイスおよび方法は、他の方式で実装され得ることが理解されるべきである。例えば、説明されている装置の実施形態は単に例である。例えば、ユニットの区分は単に論理的機能区分であり、実際の実装中には他の区分であってよい。例えば、複数のユニットまたは構成要素が組み合わせられてよく、または別のシステムに統合されてよく、またはいくつかの特徴が無視されてよく、または実行されなくてよい。加えて、表示されまたは説明されている相互結合または直接結合または通信接続は、いくつかのインターフェースを通して実装されてよい。装置またはユニットの間の間接結合または通信接続は、電子的形態または他の形態において実装されてよい。
【０２４９】
別々の部分として説明されているユニットは、物理的に別個であってもよく、またはそうでなくてもよく、ユニットとして表示されている部分は、物理ユニットであってもよく、またはそうでなくてもよく、すなわち、１つの場所に位置してよく、または複数のネットワークユニット上に分散されてよい。ユニットの一部または全ては、本開示の実施形態を実装するように実際の需要に応じて選択されてよい。
【０２５０】
本開示の実施形態における機能ユニットは、１つの処理ユニットに統合されてよく、またはユニットのそれぞれは、独立な物理モジュールであってよい。
【０２５１】
統合されたユニットがソフトウェア機能ユニットの形式に実装され、独立な製品として販売または用いられる場合、統合されたユニットは、コンピュータ可読記憶媒体において記憶されてよい。そのような理解に基づき、本開示の技術的解決手段の全部または一部は、ソフトウェア製品の形式に実装されてよい。コンピュータソフトウェア製品は、記憶媒体に記憶され、（本開示の実施形態において説明されている方法の段階の全部または一部を実行するようにパーソナルコンピュータ、サーバ、ネットワークデバイス、または同様のものであり得る）コンピュータデバイスまたはプロセッサに命令するためのいくつかの命令を含む。記憶媒体は、ユニバーサルシリアルバスフラッシュドライブ、取り外し可能なハードディスク、ＲＯＭ、ＲＡＭ、磁気ディスク、または光学ディスクなどの、プログラムコードを記憶し得る任意の媒体を含む。
【０２５２】
先述の実施形態は単に、本開示の技術的解決手段を詳細に説明するために用いられている。先述の実施形態は単に、本開示の実施形態の方法を理解することに役に立つことを意図しており、本開示の実施形態に対する限定として解釈されるべきではない。当業者によって容易に案出される任意の変形例または置き換えは、本開示の実施形態の保護範囲内に含まれるものとする。
【図１】
0006645677.tif 000002
【図２】
0006645677.tif 000003
【図３】
0006645677.tif 000004
【図４】
0006645677.tif 000005
【図５】
0006645677.tif 000006
【図６】
0006645677.tif 000007
【図７】
0006645677.tif 000008
【図８】
0006645677.tif 000009
【図９】
0006645677.tif 000010
【図１０】
0006645677.tif 000011
【図１１】
0006645677.tif 000012
【図１２Ａ】
0006645677.tif 000013
【図１２Ｂ】
0006645677.tif 000014
【図１３Ａ】
0006645677.tif 000015
【図１３Ｂ】
0006645677.tif 000016
【図１４Ａ】
0006645677.tif 000017
【図１４Ｂ】
0006645677.tif 000018
【図１５】
0006645677.tif 000019
【図１６】
0006645677.tif 000020
【図１７】
0006645677.tif 000021
【図１８】
0006645677.tif 000022
【図１９】
0006645677.tif 000023